(57)【要約】      （修正有）【課題】外部熱交換装置の内部を通過する流体を均温させることによって、省エネ効果を達成する空調装置を提供する。【解決手段】本空調装置は温度を調整する冷暖空調装置の一種であって、空調の標的空間、例えば室内またはキャリアの内部で外部に対して気流を換気・排出するように圧送し、空調の標的外部空間、例えば室外またはキャリアの外部に設置する外部熱交換器１０２１を通過することによって、空調の標的空間と空調の標的外部空間との温度差を通して、外部熱交換装置の内部を通過する流体を均温させる。冷房として稼動するとき、空調の標的空間、例えば室内から排出される相対的に低温である気流は、室外に設置される凝結機能を備える外部熱交換器に協力して降温を行う。空調装置を暖房機能として稼動するとき、その外部へ排出する相対的に高温である気流は、室外に設置される蒸発機能を備える外部熱交換器に協力して昇温を行う。【選択図】図１９
0003174919.tif 000002
【実用新案登録請求の範囲】
【請求項１】
温度を調整する冷暖空調装置の一種であって、空調の標的空間としての室内またはキャリアの内部で外部に対して気流を換気、排出するように圧送し、空調の標的外部空間としての室外またはキャリアの外部に設置する外部熱交換器を通過することによって、空調の標的空間と空調の標的外部空間との温度差を通して、外部熱交換装置の内部を通過する流体を均温させ、冷房として稼動するとき、空調の標的空間としての室内から排出される相対的に低温である気流は、室外に設置される凝結機能を備える外部熱交換器に協力して降温を行い、暖房として稼動するとき、その外部へ排出する相対的に高温である気流は、室外に設置される蒸発機能を備える外部熱交換器に協力して昇温を行い、主な構成は下記の通りである排気温度差が外部熱交換器に対して均温である空調装置であって、
空調装置本体（１０１）は、主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成し、及び排気量調整装置（１０６１）と流体排出流路（１０６０）を設けることによって、空調の標的空間の外部へ排出する排出流体（１０５）を通過させ、外部熱交換器（１０２１）を経て、外部の温度差空間（１３０）へ排出し、
外部熱交換器（１０２１）は、外部熱交換器（１０２１）に液冷媒配管（１０３）を設けることによって、本体から来る冷媒を通過させ、外部熱交換器（１０２１）にある外部の温度差空間（１３０）の外部気流（１０５１）及び排出流体（１０５）と熱交換を行い、
流体排出流路（１０６０）または外部熱交換器（１０２１）の入気側または排気側に、上述した３箇所の１箇所以上に送気ポンプ（１０４１）または外部熱交換器の排気ファンユニット（１０４）を設置することによって、排出流体（１０５）を圧送し、外部熱交換器（１０２１）を経て、外部の温度差空間（１３０）へ排出し、
上述した外部熱交換器の排気ファンユニット（１０４）または送気ポンプ（１０４１）は、電気モータによって駆動される送気または排気扇ユニットまたはエアポンプによって構成され、空調の標的空間（１２０）を圧送し、排気量調整装置（１０６１）及び流体排出流路（１０６０）のポンプで送り出される相対的に温度差を持つ排出流体（１０５）を圧送し、または同時に排出流体（１０５）及び外部気流（１０５１）を圧送し、外部熱交換器（１０２１）を経て、外部の温度差空間（１３０）へ排出し、２つの気流を一緒に外部熱交換器（１０２１）を経て、外部の温度差空間（１３０）へ排出し、
液冷媒配管（１０３）は、空調装置本体（１０１）及び外部熱交換器（１０２１）を連結する循環管路であって、その管路の中に気相または液相の冷媒が流れ、
排気量調整装置（１０６１）は排出流体（１０５）の排出量を調整設定する流体ゲート、遮断ゲートまたはバルブの構造によって構成され、
流体排出流路（１０６０）は排出流体（１０５）を排出する流体通路であって、
その作動原理は下記の通りであって、
空調の標的空間（１２０）に対して冷房機能が動作するとき、もし外部熱交換器（１０２１）が位置する外部の温度差空間（１３０）の温度が比較的高く、外部熱交換器の排気ファンユニット（１０４）のみによって外部気流（１０５１）を圧送する場合、外部熱交換器（１０２１）の中に設置する液冷媒配管（１０３）の中の冷媒は放熱し難くなり、もし外部熱交換器の排気ファンユニット（１０４）及び／または排気量調整装置（１０６１）の二者またはその中の一つによって、室内空調の標的空間（１２０）に相対的に低温の排出流体（１０５）を圧送し、または同時に排出流体（１０５）及び外部気流（１０５１）を圧送し、外部熱交換器（１０２１）へ流し、外部熱交換器（１０２１）の降温効果を高めると、冷房効率を高め、
逆に空調の標的空間（１２０）に対して暖房のヒートポンプ機能へ応用するとき、外部に対して熱交換器（１０２１）に相対的に高温の排出流体（１０５）を圧送し、外部熱交換器（１０２１）へ流し、外部熱交換器（１０２１）の昇温効果を高めると、暖房効率を高め、
空調装置は、断熱装置（１１０）の設置場所を通して、空調の標的空間（１２０）及び外部の温度差空間（１３０）を隔離し、断熱装置（１１０）は建物の壁、キャリアのボディシェル、または構造のボディシェル等の断熱材によって構成され、
前記空調の標的空間（１２０）は、通常建物の内部、車内、船内、飛行体の内部または設備装置の内部を空調装置の昇温調整または降温調整の標的にすることを指し、
前記排出流体（１０５）は、空調の標的空間（１２０）の内部から外部熱交換器（１０２１）を経て流れ、外部に排出される気流を指し、
前記外部の温度差空間（１３０）は、空調の標的空間（１２０）との間が断熱装置（１１０）によって隔離される外部空間を指し、
前記外部気流（１０５１）は、外部の温度差空間（１３０）の回りの気流を指し、
前記排出流体（１０５）は、温度コントローラの外部に設置した外部に対して熱交換器の温度より高い温度を含み、
前記排出流体（１０５）は、温度コントローラの外部に設置した外部に対して熱交換器の温度より低い温度を含み、
前記排出流体（１０５）は、外部空間の外部熱交換器（１０２１）に設置した液冷媒配管（１０３）の表面または外部熱交換器（１０２１）の表面と熱交換を行い、
前記作動原理を一体型空調システム、分離型空調システム、または外部熱交換器（１０２１）の冷却塔に代えて冷却塔を用いる形態の空調装置へ適用することを特徴とする空調装置。
【請求項２】
外部熱交換器の排気ファンユニット（１０４）を備える一体型空調システム、並びに、排出流体（１０５）及び外部気流（１０５１）を圧送し、一緒に外部熱交換器（１０２１）へ流すための流体排出流路（１０６）に適用され、
その主な構成は以下の通りであって、
空調装置本体（１０１）は、主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成し、及び排気量調整装置（１０６１）を設けることによって、及びボディシェルを通して、排出流体（１０５）が外部熱交換器（１０２１）へ流れる流体排出流路（１０６）を形成し、
外部熱交換器（１０２１）は、外部熱交換器（１０２１）に液冷媒配管（１０３）を設けることによって、本体から来る冷媒を通過させ、外部熱交換器（１０２１）にある外部の温度差空間（１３０）の外部気流（１０５１）及び排出流体（１０５）と熱交換を行い、
液冷媒配管（１０３）は空調装置本体（１０１）及び外部熱交換器（１０２１）を連結する循環管路であって、その管路の中に気相または液相の冷媒が流れ、
外部熱交換器の排気ファンユニット（１０４）は電気モータによって駆動される送気または排気扇ユニットまたはエアポンプによって構成され、外部の温度差空間（１３０）の外部気流（１０５１）を圧送し、及び空調の標的空間（１２０）を圧送し、排気量調整装置（１０６１）及び排出流路（１０６）のポンプで送り出される相対的に温度差を持つ排出流体（１０５）を圧送し、２つの気流を一緒に外部熱交換器（１０２１）を経て、外部の温度差空間（１３０）へ排出し、
排気量調整装置（１０６１）は排出流体（１０５）の排出量を調整設定する流体ゲート、遮断ゲートまたはバルブの構造によって構成され、
流体排出流路（１０６）は排出流体（１０５）を排出する流体通路であって、
上述した構造によって一体型空調システムのアセンブリ（１０００）を構成することを特徴とする請求項１に記載の空調装置。
【請求項３】
外部熱交換器の排気ファンユニット（１０４）を備えない一体型空調システム、及び、排出流体（１０５）を圧送し、外部熱交換器（１０２１）へ流すための送気ポンプ（１０４１）が一体に設けられた流体排出流路（１０６）に適用され、
その主な構成は以下の通りであって、
空調装置本体（１０１）は、主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成し、及びボディシェルを通して流体排出流路（１０６）を形成し、及び排気量調整装置（１０６１）と送気ポンプ（１０４１）を設け、
外部熱交換器（１０２１）は、外部熱交換器（１０２１）に液冷媒配管（１０３）を設けることによって、本体から来る冷媒を通過させ、外部熱交換器（１０２１）を通して、排出流体（１０５）と熱交換を行い、
液冷媒配管（１０３）は、空調装置本体（１０１）及び外部熱交換器（１０２１）を連結する循環管路であって、その管路の中に気相または液相の冷媒が流れ、
送気ポンプ（１０４１）は、電気モータによって駆動される送気または排気扇ユニットまたはエアポンプによって構成され、空調の標的空間（１２０）を圧送し、排気量調整装置（１０６１）及び排出流路（１０６）のポンプで送り出される相対的に温度差を持つ排出流体（１０５）を圧送し、外部熱交換器（１０２１）を経て、外部の温度差空間（１３０）へ排出し、
排気量調整装置（１０６１）は、排出流体（１０５）の排出量を調整設定する流体ゲート、遮断ゲートまたはバルブの構造によって構成され、
流体排出流路（１０６）は、排出流体（１０５）を排出する流体通路であって、
上述した構造によって一体型空調システムのアセンブリ（１０００）を構成することを特徴とする請求項１に記載の空調装置。
【請求項４】
流体排出流路（１０６０）、並びに、排出流体（１０５）及び外部気流（１０５１）を圧送し、一緒に空調システムのアセンブリ（１０００）の外部熱交換器（１０２１）へ流すための外部熱交換器の排気ファンユニット（１０４）に適用され、
その主な構成は以下の通りであって、
空調装置本体（１０１）は、主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成し、及び流体排出流路（１０６０）と排気量調整装置（１０６１）を設け、
外部熱交換器（１０２１）は、外部熱交換器（１０２１）に液冷媒配管（１０３）を設けることによって、本体から来る冷媒を通過させ、外部熱交換器（１０２１）にある外部の温度差空間（１３０）の外部気流（１０５１）及び排出流体（１０５）と熱交換を行い、
液冷媒配管（１０３）は、空調装置本体（１０１）及び外部熱交換器（１０２１）を連結する循環管路であって、その管路の中に気相または液相の冷媒が流れ、
外部熱交換器の排気ファンユニット（１０４）は、電気モータによって駆動される送気または排気扇ユニットまたはエアポンプによって構成され、外部の温度差空間（１３０）の外部気流（１０５１）を圧送し、及び空調の標的空間（１２０）を圧送し、排気量調整装置（１０６１）及び流体排出流路（１０６０）のポンプで送り出される相対的に温度差を持つ排出流体（１０５）を圧送し、２つの気流を一緒に外部熱交換器（１０２１）を流れ、外部の温度差空間（１３０）へ排出し、
上述した構造によって一体型空調システムのアセンブリ（１０００）を構成し、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であることを特徴とする請求項１に記載の空調装置。
【請求項５】
分離設置する送気ポンプ（１０４１）と排気量調整装置（１０６１）を備え、及び外部熱交換器の排気ファンユニット（１０４）を備えない空調システムのアセンブリ（１０００）へ適用され、
その主な構成は以下の通りであって、
空調装置本体（１０１）は、主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成し、及び流体排出流路（１０６０）、排気量調整装置（１０６１）、送気ポンプ（１０４１）を設け、
外部熱交換器（１０２１）は、外部熱交換器（１０２１）に液冷媒配管（１０３）を設けることによって、本体から来る冷媒を通過させ、外部熱交換器（１０２１）を通して、排出流体（１０５）と熱交換を行い、
液冷媒配管（１０３）は、空調装置本体（１０１）及び外部熱交換器（１０２１）を連結する循環管路であって、その管路の中に気相または液相の冷媒が流れ、
上述した構造によって一体型空調システムのアセンブリ（１０００）を構成し、
送気ポンプ（１０４１）は電気モータによって駆動される送気または排気扇ユニットまたはエアポンプによって構成され、空調の標的空間（１２０）を圧送し、排気量調整装置（１０６１）及び排出流路（１０６０）のポンプで送り出される相対的に温度差を持つ排出流体（１０５）を圧送し、外部熱交換器（１０２１）を経て、外部の温度差空間（１３０）へ排出し、
排気量調整装置（１０６１）は排出流体（１０５）の排出量を調整設定する流体ゲート、遮断ゲートまたはバルブの構造によって構成され、
流体排出流路（１０６０）は排出流体（１０５）を排出する流体通路であることを特徴とする請求項１に記載の空調装置。
【請求項６】
外部熱交換器の排気ファンユニット（１０４）、流体排出流路（１０６０）、及び送気ポンプ（１０４１）を備える空調システムのアセンブリ（１０００）へ適用され、
その主な構成は以下の通りであって、
空調装置本体（１０１）は、主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成し、及び流体排出流路（１０６０）と送気ポンプ（１０４１）を設け、
外部熱交換器（１０２１）は、外部熱交換器（１０２１）に液冷媒配管（１０３）を設けることによって、本体から来る冷媒を通過させ、外部熱交換器（１０２１）にある外部の温度差空間（１３０）の外部気流（１０５１）及び排出流体（１０５）と熱交換を行い、
液冷媒配管（１０３）は空調装置本体（１０１）及び外部熱交換器（１０２１）を連結する循環管路であって、その管路の中に気相または液相の冷媒が流れ、
外部熱交換器の排気ファンユニット（１０４）は、電気モータによって駆動される送気または排気扇ユニットまたはエアポンプによって構成され、外部の温度差空間（１３０）の外部気流（１０５１）を圧送し、及び空調の標的空間（１２０）を圧送し、送気ポンプ（１０４１）を通して、排気量調整装置（１０６１）及び流体排出流路（１０６０）のポンプで送り出される相対的に温度差を持つ排出流体（１０５）を圧送し、２つの気流を一緒に外部熱交換器（１０２１）を流れ、外部の温度差空間（１３０）へ排出し、
上述した構造によって一体型空調システムのアセンブリ（１０００）を構成し、
送気ポンプ（１０４１）は、電気モータによって駆動される送気または排気扇ユニットまたはエアポンプによって構成され、空調の標的空間（１２０）を圧送し、排気量調整装置（１０６１）及び排出流路（１０６０）のポンプで送り出される相対的に温度差を持つ排出流体（１０５）を圧送し、２つの気流を一緒に外部熱交換器（１０２１）を経て、外部の温度差空間（１３０）へ排出し、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であることを特徴とする請求項１に記載の空調装置。
【請求項７】
外部熱交換器の排気ファンユニット（１０４）を備える分離型エアコンの室外機（２００２）及び流体排出流路（１０６０）を設置する分離型エアコンの本体（２００１）へ適用され、
その主な構成は以下の通りであって、
分離型エアコンの本体（２００１）は、主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）の分離型エアコンの室外機（２００２）の中にある外部熱交換器（１０２１）の管路と一緒に循環流路を構成し、及び流体排出流路（１０６０）と排気量調整装置（１０６１）を設け、
分離型エアコンの室外機（２００２）は、分離型エアコンの室外機（２００２）にボディシェルと外部熱交換器（１０２１）を設け、外部熱交換器（１０２１）に液冷媒配管（１０３）を設けることによって、分離型エアコンの本体（２００１）から来る冷媒を通過させ、外部熱交換器（１０２１）にある外部の温度差空間（１３０）の外部気流（１０５１）及び排出流体（１０５）と熱交換を行い、及び外部熱交換器の排気ファンユニット（１０４）を設け、外部熱交換器の排気ファンユニット（１０４）は、電気モータによって駆動される送気または排気扇ユニットまたはエアポンプによって構成され、外部の温度差空間（１３０）の外部気流（１０５１）を圧送し、及び空調の標的空間（１２０）を経て、排気量調整装置（１０６１）と流体排出流路（１０６０）のポンプで送り出される相対的に温度差を持つ排出流体（１０５）を圧送し、２つの気流を一緒に外部熱交換器（１０２１）を経て、外部の温度差空間（１３０）へ排出し、
液冷媒配管（１０３）は、空調装置本体（１０１）及び外部熱交換器（１０２１）を連結する循環管路であって、その管路の中に気相または液相の冷媒が流れ、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であることを特徴とする請求項１に記載の空調装置。
【請求項８】
送気ポンプ（１０４１）が一体に設けられた分離型エアコンの本体（２００１）、及び外部熱交換器の排気ファンユニット（１０４）を備えない分離型エアコンの室外機（２００２）に適用され、
その主な構成は以下の通りであって、
分離型エアコンの本体（２００１）は、主にスロットル装置、内部熱交換器（２０３）、圧縮装置、管路、制御装置（２０１）、エアコンの送気ファン及びボディシェルによって分離型エアコンの本体を構成し、また液冷媒配管（１０３）を通して、外部の温度差空間（１３０）に設置される分離型エアコンの室外機（２００２）の中にある外部熱交換器（１０２１）の管路と一緒に循環流路を構成し、及び流体排出流路（１０６０）と送気ポンプ（１０４１）を設け、
分離型エアコンの室外機（２００２）は、分離型エアコンの室外機（２００２）にボディシェルと外部熱交換器（１０２１）を設け、外部熱交換器（１０２１）に液冷媒配管（１０３）を設けることによって、分離型エアコンの本体（２００１）から来る冷媒を通過させ、外部熱交換器（１０２１）を通して、排出流体（１０５）と熱交換を行い、
液冷媒配管（１０３）は、空調装置本体（１０１）及び外部熱交換器（１０２１）を連結する循環管路であって、その管路の中に気相または液相の冷媒が流れ、
送気ポンプ（１０４１）は、電気モータによって駆動される送気または排気扇ユニットまたはエアポンプによって構成され、空調の標的空間（１２０）を圧送し、排気量調整装置（１０６１）及び排出流路（１０６０）のポンプで送り出される相対的に温度差を持つ排出流体（１０５）を圧送し、外部熱交換器（１０２１）を経て、外部の温度差空間（１３０）へ排出し、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であることを特徴とする請求項１に記載の空調装置。
【請求項９】
別に設置される流体排出流路（１０６０）、分離型エアコンの本体（２００１）、及び外部熱交換器の排気ファンユニット（１０４）を備える分離型エアコンの室外機（２００２）に適用され、
その主な構成は以下の通りであって、
分離型エアコンの本体（２００１）は、主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）の分離型エアコンの室外機（２００２）の中にある外部熱交換器（１０２１）の管路と一緒に循環流路を構成し、及び流体排出流路（１０６０）と排気量調整装置（１０６１）を設け、
分離型エアコンの室外機（２００２）は、分離型エアコンの室外機（２００２）にボディシェルと外部熱交換器（１０２１）を設け、外部熱交換器（１０２１）に液冷媒配管（１０３）を設けることによって、分離型エアコンの本体（２００１）から来る冷媒を通過させ、外部熱交換器（１０２１）の外部の温度差空間（１３０）の外部気流（１０５１）及び排出流体（１０５）と熱交換を行い、及び外部熱交換器の排気ファンユニット（１０４）を設け、外部熱交換器の排気ファンユニット（１０４）は、電気モータによって駆動される送気または排気扇ユニットまたはエアポンプによって構成され、外部の温度差空間（１３０）の外部気流（１０５１）を圧送し、及び空調の標的空間（１２０）を経て、排気量調整装置（１０６１）と流体排出流路（１０６０）のポンプで送り出される相対的に温度差を持つ排出流体（１０５）を圧送し、２つの気流を一緒に外部熱交換器（１０２１）を経て、外部の温度差空間（１３０）へ排出し、
液冷媒配管（１０３）は、分離型エアコンの本体（２００１）及び外部熱交換器（１０２１）を連結する循環管路であって、その管路の中に気相または液相の冷媒が流れ、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であることを特徴とする請求項１に記載の空調装置。
【請求項１０】
別に設置される送気ポンプ（１０４１）、分離型エアコンの本体（２００１）、及び外部熱交換器の排気ファンユニット（１０４）を備えない分離型エアコンの室外機（２００２）に適用され、
その主な構成は以下の通りであって、
分離型エアコンの本体（２００１）は、主にスロットル装置、内部熱交換器（２０３）、圧縮装置、管路、制御装置（２０１）、エアコンの送気ファン及びボディシェルによって分離型エアコンの本体を構成し、また液冷媒配管（１０３）を通して、外部の温度差空間（１３０）に設置される外部熱交換器（１０２１）の管路と一緒に循環流路を構成し、及び流体排出流路（１０６０）、排気量調整装置（１０６１）と送気ポンプ（１０４１）を設け、
分離型エアコンの室外機（２００２）は、ボディシェルと外部熱交換器（１０２１）を備え、外部熱交換器（１０２１）に液冷媒配管（１０３）を設けることによって、分離型エアコンの本体（２００１）から来る冷媒を通過させ、外部熱交換器（１０２１）を通して、排出流体（１０５）と熱交換を行い、
液冷媒配管（１０３）は、分離型エアコンの本体（２００１）及び外部熱交換器（１０２１）を連結する循環管路であって、その管路の中に気相または液相の冷媒が流れ、
送気ポンプ（１０４１）は、電気モータによって駆動される送気または排気扇ユニットまたはエアポンプによって構成され、空調の標的空間（１２０）を圧送し、排気量調整装置（１０６１）及び排出流路（１０６０）のポンプで送り出される相対的に温度差を持つ排出流体（１０５）を圧送し、外部熱交換器（１０２１）を経て、外部の温度差空間（１３０）へ排出し、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であることを特徴とする請求項１に記載の空調装置。
【請求項１１】
分離型エアコンの本体（２００１）、外部熱交換器の排気ファンユニット（１０４）を備える分離型エアコンの室外機（２００２）、及び別に設置される送気ポンプ（１０４１）に適用され、
その主な構成は以下の通りであって、
分離型エアコンの本体（２００１）は、主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成し、及び流体排出流路（１０６０）、排気量調整装置（１０６１）と送気ポンプ（１０４１）を設け、
分離型エアコンの室外機（２００２）は、ボディシェルと外部熱交換器（１０２１）を備え、外部熱交換器（１０２１）に液冷媒配管（１０３）を設けることによって、分離型エアコンの本体（２００１）から来る冷媒を通過させ、外部熱交換器（１０２１）にある外部の温度差空間（１３０）の外部気流（１０５１）及び排出流体（１０５）と熱交換を行い、及び外部熱交換器の排気ファンユニット（１０４）を設け、外部熱交換器の排気ファンユニット（１０４）は、電気モータによって駆動される送気または排気扇ユニットまたはエアポンプによって構成され、外部の温度差空間（１３０）の外部気流（１０５１）を圧送し、及び空調の標的空間（１２０）を経て、排気量調整装置（１０６１）と流体排出流路（１０６０）のポンプで送り出される相対的に温度差を持つ排出流体（１０５）を圧送し、２つの気流を一緒に外部熱交換器（１０２１）を経て、外部の温度差空間（１３０）へ排出し、
液冷媒配管（１０３）は、分離型エアコンの本体（２００１）及び外部熱交換器（１０２１）を連結する循環管路であって、その管路の中に気相または液相の冷媒が流れ、
排気量調整装置（１０６１）は、排出流体（１０５）の排出量を調整設定する流体ゲート、遮断ゲートまたはバルブの構造によって構成され、
流体排出流路（１０６０）、排出流体（１０５）を排出する流体通路であることを特徴とする請求項１に記載の空調装置。
【請求項１２】
水冷式空調装置本体（２００５）、動力ファン式冷却塔（２００３）、及び別に設置される送気ポンプ（１０４１）に適用され、その主な構成は以下の通りであって、
水冷式空調装置本体（２００５）は、主にスロットル装置、内部熱交換器（２０３）、圧縮装置、管路、制御装置（２０１）、エアコンの送気ファン水冷式冷却装置及びボディシェルによって構成される空調装置本体を設け、また水冷式空調装置本体（２００５）の水冷凝縮器に水管（１０７）を設置し、外部の温度差空間（１３０）に設置する動力ファン式冷却塔（２００３）の進水及び排水管路の出入水管（１０９）を連結することによって、循環水流路を構成し、及び流体排出流路（１０６０）、排気量調整装置（１０６１）と送気ポンプ（１０４１）を設置することによって、送気ポンプ（１０４１）を通して排出流体（１０５）を圧送し、排気量調整装置（１０６１）及び流体排出流路（１０６０）を経て、動力ファン式冷却塔（２００３）の入気口へ流し、
動力ファン式冷却塔（２００３）は、冷却塔風扇ユニット（１０８）を設けた冷却塔によって構成され、機械的ドラフト向流式冷却塔、機械的ドラフトクロスフロー式冷却塔、カウンターフロー式冷却塔、機械的クロスフロー式冷却塔、または蒸発冷却塔によって構成され、動力ファン式冷却塔（２００３）に入風口を設けことによって、空調の標的空間（１２０）から来て、送気ポンプ（１０４１）によって圧送する排出流体（１０５）を導入し、流体排出流路（１０６０）を経て、動力ファン式冷却塔（２００３）の入風口に進入することによって、動力ファンを通過し、冷却塔（２００３）の水流を冷却し、また冷却塔風扇ユニット（１０８）を経て周りに放出し、及び出入水管（１０９）を設け、水管（１０７）と連結することによって、冷却水流は動力ファン式冷却塔（２００３）と水冷式空調装置本体（２００５）との間で循環し、
水管（１０７）は、水冷式空調装置本体（２００５）の水冷凝縮器と動力ファン式冷却塔（２００３）の出入水管（１０９）との間に設け、
冷却塔風扇ユニット（１０８）は、電気モータによって駆動される送気または排気扇ユニットまたはエアポンプによって構成され、以下の一種以上の稼動機能を備え、
（１）外部の温度差空間（１３０）の外部気流（１０５１）を圧送し、動力ファン式冷却塔（２００３）の内部を経て、外部の温度差空間（１３０）へ排出し、
（２）空調の標的空間（１２０）を圧送し、排気量調整装置（１０６１）、送気ポンプ（１０４１）と流体排出流路（１０６０）のポンプで送り出される相対的に温度差を持つ排出流体（１０５）を輸送し、動力ファン式冷却塔（２００３）の内部を経て、外部の温度差空間（１３０）へ排出し、
（３）外部気流（１０５１）と排出流体（１０５）の２つの気流を一緒に動力ファン式冷却塔（２００３）の内部を経て、外部の温度差空間（１３０）へ排出し、
水ポンプ（１１１）は水冷式空調装置本体（２００５）と動力ファン式冷却塔（２００３）と間の冷却水を圧送し、水管（１０７）を通過させ、及び出入水管（１０９）で循環冷却を行い、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であることを特徴とする請求項１に記載の空調装置。
【請求項１３】
水冷式空調装置本体（２００５）、及び動力ファン式冷却塔（２００３）に適用され、その主な構成は以下の通りであって、
水冷式空調装置本体（２００５）は、主にスロットル装置、内部熱交換器（２０３）、圧縮装置、管路、制御装置（２０１）、エアコンの送気ファン水冷式冷却装置及びボディシェルによって構成される空調装置本体を設け、また水冷式空調装置本体（２００５）の水冷凝縮器に水管（１０７）を設置し、外部の温度差空間（１３０）に設置する動力ファン式冷却塔（２００３）の進水と排水管路の出入水管（１０９）を連結することによって、循環水流路を構成し、及び排気量調整装置（１０６１）と流体排出流路（１０６０）を設けることによって、排出流体（１０５）を輸送し、動力ファン式冷却塔（２００３）の入気口へ流し、
動力ファン式冷却塔（２００３）は、冷却塔風扇ユニット（１０８）を設けた冷却塔によって構成され、機械的ドラフト向流式冷却塔、機械的ドラフトクロスフロー式冷却塔、カウンターフロー式冷却塔、機械的クロスフロー式冷却塔、または蒸発冷却塔によって構成され、動力ファン式冷却塔（２００３）に入風口を設けことによって、空調の標的空間（１２０）から来る排出流体（１０５）を導入し、流体排出流路（１０６０）を経て、動力ファン式冷却塔（２００３）の入風口に進入することによって、動力ファンを通過し、冷却塔（２００３）の水流を冷却し、また冷却塔風扇ユニット（１０８）を経て周りに放出し、及び出入水管（１０９）を設け、水管（１０７）と連結することによって、冷却水流は動力ファン式冷却塔（２００３）と水冷式空調装置本体（２００５）との間で循環し、
水管（１０７）は、水冷式空調装置本体（２００５）の水冷凝縮器と動力ファン式冷却塔（２００３）の出入水管（１０９）との間に設け、
冷却塔風扇ユニット（１０８）は、電気モータによって駆動される送気または排気扇ユニットまたはエアポンプによって構成され、以下の一種以上の稼動機能を備え、
（１）外部の温度差空間（１３０）の外部気流（１０５１）を圧送し、動力ファン式冷却塔（２００３）の内部を経て、外部の温度差空間（１３０）へ排出し、
（２）空調の標的空間（１２０）を圧送し、排気量調整装置（１０６１）と流体排出流路（１０６０）によって相対的に温度差を持つ排出流体（１０５）を輸送し、動力ファン式冷却塔（２００３）の内部を経て、外部の温度差空間（１３０）へ排出し、
（３）外部気流（１０５１）と排出流体（１０５）の２つの気流を一緒に動力ファン式冷却塔（２００３）の内部を経て、外部の温度差空間（１３０）へ排出し、
水ポンプ（１１１）は、水冷式空調装置本体（２００５）と動力ファン式冷却塔（２００３）と間の冷却水を圧送し、水管（１０７）を通過させ、及び出入水管（１０９）で循環冷却を行い、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であることを特徴とする請求項１に記載の空調装置。
【請求項１４】
水冷式空調装置本体（２００５）、自然通風式冷却塔（２００４）、及び別に設置される送気ポンプ（１０４１）に適用され、その主な構成は以下の通りであって、
水冷式空調装置本体（２００５）は、主にスロットル装置、内部熱交換器（２０３）、圧縮装置、管路、制御装置（２０１）、エアコンの送気ファン水冷式冷却装置及びボディシェルによって構成される空調装置本体を設け、また水冷式空調装置本体（２００５）の水冷凝縮器に水管（１０７）を設置し、外部の温度差空間（１３０）に設置する自然通風式冷却塔（２００４）の進水と排水管路の出入水管（１０９）を連結することによって、循環水流路を構成し、及び流体排出流路（１０６０）、排気量調整装置（１０６１）と送気ポンプ（１０４１）を設けることによって、送気ポンプ（１０４１）を通して、排出流体（１０５）を圧送し、排気量調整装置（１０６１）と流体排出流路（１０６０）を経て、自然通風式冷却塔（２００４）の入気口へ流し、
自然通風式冷却塔（２００４）は、自然通風式冷却塔、クロスフロー自然通風冷却塔によって構成され、自然通風式冷却塔（２００４）に入風口を設け、以下の一種以上の稼動機能を備え、
（１）外部の温度差空間（１３０）から来る外部気流（１０５１）を導入し、自然通風式冷却塔（２００４）の入風口に進入することによって、自然通風式冷却塔（２００４）を通過し、水流を冷却し、また冷却塔を経て周りに放出し、
（２）空調の標的空間（１２０）を導入し、送気ポンプ（１０４１）を経て、排出流体（１０５）を圧送し、流体排出流路（１０６０）を経て、自然通風式冷却塔（２００４）の入風口に進入することによって、自然通風式冷却塔（２００４）を通過し、水流を冷却し、また冷却塔を経て周りに放出し、
（３）排出流体（１０５）及び外部気流（１０５１）を導入し、自然通風式冷却塔（２００４）の入風口に進入することによって、自然通風式冷却塔（２００４）を通過し、水流を冷却し、冷却塔を経て周りに放出し、及び出入水管（１０９）と連結水管（１０７）を設けることによって、冷却水流を自然通風式冷却塔（２００４）と水冷式空調装置本体（２００５）との間で循環させ、
水管（１０７）は、水冷式空調装置本体（２００５）の水冷凝縮器と動力ファン式冷却塔（２００３）の出入水管（１０９）との間に設け、
水ポンプ（１１１）は、水冷式空調装置本体（２００５）と動力ファン式冷却塔（２００３）と間の冷却水を圧送し、水管（１０７）を通過させ、及び出入水管（１０９）で循環冷却を行い、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であることを特徴とする請求項１に記載の空調装置。
【請求項１５】
分離型空調システムへ適用される空調装置であって、
内部に分離型エアコンの室外本体（２００７）、外部熱交換器（１０２１）と排気ファンユニット（１０４）によって構成される分離型エアコンの室外機（２００２）を設置し、
内部に内部熱交換器（２０３）、スロットル装置（２０２）、エアコンの送気ファン（２０４）と制御装置（２０１）の分離型エアコンの室内機（２００６）を設置し、
分離型エアコンの室外機（２００２）と分離型エアコンの室内機（２００６）との間に液冷媒配管（１０３）を備えることによって冷媒の圧縮循環回路を構成し、
空調の標的空間（１２０）から外部熱交換器（１０２１）へ通じる流体排出流路（１０６０）を設置することを特徴とする請求項１に記載の空調装置。
【請求項１６】
外部熱交換器（１０２１）、排気ファンユニット（１０４）と分離型エアコンの室外本体（２００７）によって構成される分離型エアコンの室外機（２００２）を設置し、
内部熱交換器（２０３）、スロットル装置（２０２）、制御装置（２０１）、エアコンの送気ファン（２０４）と排気量調整装置（１０６１）によって構成される分離型エアコンの室内機（２００６）を設置し、
分離型エアコンの室外機（２００２）と分離型エアコンの室内機（２００６）との間に液冷媒配管（１０３）によって構成される冷媒の圧縮循環回路を備え、
空調の標的空間（１２０）で排気量調整装置（１０６１）と外部熱交換器（１０２１）との間を経て、流体排出流路（１０６０）及び外部気流（１０５１）を設置し、
分離型エアコンの室外機（２００２）に分離型エアコンの室外本体（２００７）、外部熱交換器（１０２１）、液冷媒配管（１０３）と外部熱交換器の排気ファンユニット（１０４）を設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成し、
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動し、分離型エアコンの室内機（２００６）にまた排気量調整装置（１０６１）と流体排出流路（１０６０）を設け、
分離型エアコンの室外機（２００２）の外部熱交換器（１０２１）に液冷媒配管（１０３）を設け、冷媒を通過させ、かつ外部熱交換器（１０２１）にある外部の温度差空間（１３０）の外部気流（１０５１）及び排出流体（１０５）と熱交換を行い、
分離型エアコンの室外機（２００２）に設置される外部熱交換器の排気ファンユニット（１０４）は電気モータによって駆動される送気または排気扇ユニットまたはエアポンプによって構成され、流体排出流路（１０６０）と外部熱交換器（１０２１）との間の流れる間隔を通して、外部の温度差空間（１３０）の外部気流（１０５１）をポンプで入れ、及び空調の標的空間（１２０）の排気量調整装置（１０６１）及び流体排出流路（１０６０）から排出される相対的に温度差を持つ排出流体（１０５）を圧送し、２つの気流を一緒に外部熱交換器（１０２１）を経て熱交換を行った後、外部の温度差空間（１３０）へ排出し、
液冷媒配管（１０３）は、分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れ、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であって、
液冷媒配管（１０３）と流体排出流路（１０６０）を個別に設置し、または同一構造にすることができることを特徴とする請求項１５に記載の空調装置。
【請求項１７】
外部熱交換器（１０２１）と分離型エアコンの室外本体（２００７）によって構成される分離型エアコンの室外機（２００２）を設置し、
内部熱交換器（２０３）、スロットル装置（２０２）、制御装置（２０１）、エアコンの送気ファン（２０４）、送気ポンプ（１０４１）と排気量調整装置（１０６１）によって構成される分離型エアコンの室内機（２００６）を設置し、
分離型エアコンの室外機（２００２）と分離型エアコンの室内機（２００６）との間に液冷媒配管（１０３）によって構成される冷媒の圧縮循環回路を備え、
空調の標的空間（１２０）で排気量調整装置（１０６１）、送気ポンプ（１０４１）と外部熱交換器（１０２１）との間を経て、流体排出流路（１０６０）を設置し、
分離型エアコンの室外機（２００２）に分離型エアコンの室外本体（２００７）、外部熱交換器（１０２１）と液冷媒配管（１０３）を設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成し、
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動し、分離型エアコンの室内機（２００６）にまた排気量調整装置（１０６１）、送気ポンプ（１０４１）と流体排出流路（１０６０）を設け、
分離型エアコンの室外機（２００２）の外部熱交換器（１０２１）に液冷媒配管（１０３）を設け、冷媒を通過させ、かつ排出流体（１０５）と熱交換を行い、
液冷媒配管（１０３）は、分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れ、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であって、
液冷媒配管（１０３）と流体排出流路（１０６０）を個別に設置し、または同一構造にすることができることを特徴とする請求項１５に記載の空調装置。
【請求項１８】
外部熱交換器（１０２１）、排気ファンユニット（１０４）と分離型エアコンの室外本体（２００７）によって構成される分離型エアコンの室外機（２００２）を設置し、
内部熱交換器（２０３）、スロットル装置（２０２）、制御装置（２０１）とエアコンの送気ファン（２０４）によって構成される分離型エアコンの室内機（２００６）を設置し、
分離型エアコンの室外機（２００２）と分離型エアコンの室内機（２００６）との間に液冷媒配管（１０３）によって構成される冷媒の圧縮循環回路を備え、また断熱装置（１１０）に排気量調整装置（１０６１）を分離設置し、
空調の標的空間（１２０）で排気量調整装置（１０６１）と外部熱交換器（１０２１）との間を経て、流体排出流路（１０６０）及び外部気流（１０５１）を設置し、
分離型エアコンの室外機（２００２）に分離型エアコンの室外本体（２００７）、外部熱交換器（１０２１）、液冷媒配管（１０３）と外部熱交換器の排気ファンユニット（１０４）を設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成し、
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動し、
断熱装置（１１０）に排気量調整装置（１０６１）と流体排出流路（１０６０）を分離設置し、
分離型エアコンの室外機（２００２）の外部熱交換器（１０２１）に液冷媒配管（１０３）を設け、冷媒を通過させ、かつ外部熱交換器（１０２１）にある外部の温度差空間（１３０）の外部気流（１０５１）及び排出流体（１０５）と熱交換を行い、
分離型エアコンの室外機（２００２）に設置される外部熱交換器の排気ファンユニット（１０４）は電気モータによって駆動される送気または排気扇ユニットまたはエアポンプによって構成され、流体排出流路（１０６０）と外部熱交換器（１０２１）との間の流れる間隔を通して、外部の温度差空間（１３０）の外部気流（１０５１）をポンプで入れ、及び空調の標的空間（１２０）の排気量調整装置（１０６１）及び流体排出流路（１０６０）から排出される相対的に温度差を持つ排出流体（１０５）を圧送し、２つの気流を一緒に外部熱交換器（１０２１）を経て熱交換を行った後、外部の温度差空間（１３０）へ排出し、
液冷媒配管（１０３）は、分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れ、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であって、
液冷媒配管（１０３）と流体排出流路（１０６０）を個別に設置し、または同一構造にすることができることを特徴とする請求項１５に記載の空調装置。
【請求項１９】
外部熱交換器（１０２１）と分離型エアコンの室外本体（２００７）によって構成される分離型エアコンの室外機（２００２）を設置し、
内部熱交換器（２０３）、スロットル装置（２０２）、制御装置（２０１）とエアコンの送気ファン（２０４）によって構成される分離型エアコンの室内機（２００６）を設置し、
分離型エアコンの室外機（２００２）と分離型エアコンの室内機（２００６）との間に液冷媒配管（１０３）によって構成される冷媒の圧縮循環回路を備え、
断熱装置（１１０）に送気ポンプ（１０４１）と排気量調整装置（１０６１）を分離設置し、
空調の標的空間（１２０）で排気量調整装置（１０６１）、送気ポンプ（１０４１）と外部熱交換器（１０２１）との間を経て、流体排出流路（１０６０）を設置し、
分離型エアコンの室外機（２００２）に分離型エアコンの室外本体（２００７）、外部熱交換器（１０２１）と液冷媒配管（１０３）を設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成し、
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動し、
断熱装置（１１０）に排気量調整装置（１０６１）、送気ポンプ（１０４１）と流体排出流路（１０６０）を分離設置し、
分離型エアコンの室外機（２００２）の外部熱交換器（１０２１）に液冷媒配管（１０３）を設け、冷媒を通過させ、かつ排出流体（１０５）と熱交換を行い、
液冷媒配管（１０３）は、分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れ、
送気ポンプ（１０４１）は、電気モータによって駆動される送気または排気扇ユニットまたはエアポンプによって構成され、空調の標的空間（１２０）を圧送し、排気量調整装置（１０６１）及び排出流路（１０６０）のポンプで送り出される相対的に温度差を持つ排出流体（１０５）を圧送し、外部熱交換器（１０２１）を経て、外部の温度差空間（１３０）へ排出し、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であって、
液冷媒配管（１０３）と流体排出流路（１０６０）を個別に設置し、または同一構造にすることができることを特徴とする請求項１５に記載の空調装置。
【請求項２０】
外部熱交換器（１０２１）、排気ファンユニット（１０４）と分離型エアコンの室外本体（２００７）によって構成される分離型エアコンの室外機（２００２）を設置し、
内部熱交換器（２０３）、スロットル装置（２０２）、制御装置（２０１）とエアコンの送気ファン（２０４）によって構成される分離型エアコンの室内機（２００６）を設置し、
分離型エアコンの室外機（２００２）と分離型エアコンの室内機（２００６）との間に液冷媒配管（１０３）によって構成される冷媒の圧縮循環回路を備え、
断熱装置（１１０）に送気ポンプ（１０４１）と排気量調整装置（１０６１）を分離設置し、
空調の標的空間（１２０）で排気量調整装置（１０６１）と送気ポンプ（１０４１）と外部熱交換器（１０２１）との間を経て、流体排出流路（１０６０）及び外部気流（１０５１）を設置し、
分離型エアコンの室外機（２００２）に分離型エアコンの室外本体（２００７）、外部熱交換器（１０２１）、液冷媒配管（１０３）と外部熱交換器の排気ファンユニット（１０４）を設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成し、
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動し、
断熱装置（１１０）に排気量調整装置（１０６１）、送気ポンプ（１０４１）と流体排出流路（１０６０）を分離設置し、
分離型エアコンの室外機（２００２）の外部熱交換器（１０２１）に液冷媒配管（１０３）を設け、冷媒を通過させ、かつ外部熱交換器（１０２１）にある外部の温度差空間（１３０）の外部気流（１０５１）及び排出流体（１０５）と熱交換を行い、
分離型エアコンの室外機（２００２）に設置される外部熱交換器の排気ファンユニット（１０４）は電気モータによって駆動される送気または排気扇ユニットまたはエアポンプによって構成され、流体排出流路（１０６０）と外部熱交換器（１０２１）との間の流れる間隔を通して、外部の温度差空間（１３０）の外部気流（１０５１）をポンプで入れ、及び空調の標的空間（１２０）の排気量調整装置（１０６１）及び流体排出流路（１０６０）から排出される相対的に温度差を持つ排出流体（１０５）を圧送し、２つの気流を一緒に外部熱交換器（１０２１）を経て熱交換を行った後、外部の温度差空間（１３０）へ排出し、
液冷媒配管（１０３）は、分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れ、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であって、
液冷媒配管（１０３）と流体排出流路（１０６０）を個別に設置し、または同一構造にすることができることを特徴とする請求項１５に記載の空調装置。
【請求項２１】
外部熱交換器（１０２１）と排気ファンユニット（１０４）によって構成される分離型エアコンの室外機（２００２）を設置し、
分離型エアコンの室外本体（２００７）を独立して設置し、
内部熱交換器（２０３）、スロットル装置（２０２）、制御装置（２０１）、エアコンの送気ファン（２０４）と排気量調整装置（１０６１）によって構成される分離型エアコンの室内機（２００６）を設置し、
分離型エアコンの室外機（２００２）、分離型エアコンの室外本体（２００７）、及び分離型エアコンの室内機（２００６）の間に液冷媒配管（１０３）によって構成される冷媒の圧縮循環回路を備え、
空調の標的空間（１２０）で排気量調整装置（１０６１）と外部熱交換器（１０２１）との間を経て、流体排出流路（１０６０）及び外部気流（１０５１）を設置し、
分離型エアコンの室外機（２００２）に外部熱交換器（１０２１）、液冷媒配管（１０３）と外部熱交換器の排気ファンユニット（１０４）を設置し、及び分離型エアコンの室外本体（２００７）を独立して設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成し、
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動し、分離型エアコンの室内機（２００６）にまた排気量調整装置（１０６１）と流体排出流路（１０６０）を設け、
分離型エアコンの室外機（２００２）の外部熱交換器（１０２１）に液冷媒配管（１０３）を設け、冷媒を通過させ、かつ外部熱交換器（１０２１）にある外部の温度差空間（１３０）の外部気流（１０５１）及び排出流体（１０５）と熱交換を行い、
分離型エアコンの室外機（２００２）に設置される外部熱交換器の排気ファンユニット（１０４）は電気モータによって駆動される送気または排気扇ユニットまたはエアポンプによって構成され、流体排出流路（１０６０）と外部熱交換器（１０２１）との間の流れる間隔を通して、外部の温度差空間（１３０）の外部気流（１０５１）をポンプで入れ、及び空調の標的空間（１２０）の排気量調整装置（１０６１）及び流体排出流路（１０６０）から排出される相対的に温度差を持つ排出流体（１０５）を圧送し、２つの気流を一緒に外部熱交換器（１０２１）を経て熱交換を行った後、外部の温度差空間（１３０）へ排出し、
液冷媒配管（１０３）は、独立して設置される分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れ、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であって、
液冷媒配管（１０３）と流体排出流路（１０６０）を個別に設置し、または同一構造にすることができることを特徴とする請求項１５に記載の空調装置。
【請求項２２】
外部熱交換器（１０２１）によって構成される分離型エアコンの室外機（２００２）を設置し、
分離型エアコンの室外本体（２００７）を独立して設置し、
内部熱交換器（２０３）、スロットル装置（２０２）、制御装置（２０１）、エアコンの送気ファン（２０４）、送気ポンプ（１０４１）と排気量調整装置（１０６１）によって構成される分離型エアコンの室内機（２００６）を設置し、
分離型エアコンの室外機（２００２）、分離型エアコンの室外本体（２００７）、及び分離型エアコンの室内機（２００６）の間に液冷媒配管（１０３）によって構成される冷媒の圧縮循環回路を備え、
空調の標的空間（１２０）で排気量調整装置（１０６１）、送気ポンプ（１０４１）と外部熱交換器（１０２１）との間を経て、流体排出流路（１０６０）を設置し、
分離型エアコンの室外機（２００２）に外部熱交換器（１０２１）と液冷媒配管（１０３）を設置し、及び分離型エアコンの室外本体（２００７）を独立して設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成し、
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動し、分離型エアコンの室内機（２００６）にまた排気量調整装置（１０６１）、送気ポンプ（１０４１）と流体排出流路（１０６０）を設け、
分離型エアコンの室外機（２００２）の外部熱交換器（１０２１）に液冷媒配管（１０３）を設け、冷媒を通過させ、かつ排出流体（１０５）と熱交換を行い、
液冷媒配管（１０３）は、独立して設置される分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れ、
送気ポンプ（１０４１）は、電気モータによって駆動される送気または排気扇ユニットまたはエアポンプによって構成され、空調の標的空間（１２０）を圧送し、排気量調整装置（１０６１）及び排出流路（１０６０）のポンプで送り出される相対的に温度差を持つ排出流体（１０５）を圧送し、外部熱交換器（１０２１）を経て、外部の温度差空間（１３０）へ排出し、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であって、
液冷媒配管（１０３）と流体排出流路（１０６０）を個別に設置し、または同一構造にすることができることを特徴とする請求項１５に記載の空調装置。
【請求項２３】
外部熱交換器（１０２１）、排気ファンユニット（１０４）によって構成される分離型エアコンの室外機（２００２）を設置し、
分離型エアコンの室外本体（２００７）を独立して設置し、
内部熱交換器（２０３）、スロットル装置（２０２）、制御装置（２０１）とエアコンの送気ファン（２０４）によって構成される分離型エアコンの室内機（２００６）を設置し、
分離型エアコンの室外機（２００２）、分離型エアコンの室外本体（２００７）、及び分離型エアコンの室内機（２００６）の間に液冷媒配管（１０３）によって構成される冷媒の圧縮循環回路を備え、
断熱装置（１１０）に排気量調整装置（１０６１）を分離設置し、
空調の標的空間（１２０）で排気量調整装置（１０６１）と外部熱交換器（１０２１）との間を経て、流体排出流路（１０６０）及び外部気流（１０５１）を設置し、
分離型エアコンの室外機（２００２）に外部熱交換器（１０２１）、液冷媒配管（１０３）と外部熱交換器の排気ファンユニット（１０４）を設置し、及び分離型エアコンの室外本体（２００７）を独立して設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成し、
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動し、
断熱装置（１１０）に排気量調整装置（１０６１）と流体排出流路（１０６０）を分離設置し、
分離型エアコンの室外機（２００２）の外部熱交換器（１０２１）に液冷媒配管（１０３）を設け、冷媒を通過させ、かつ外部熱交換器（１０２１）にある外部の温度差空間（１３０）の外部気流（１０５１）及び排出流体（１０５）と熱交換を行い、
分離型エアコンの室外機（２００２）に設置される外部熱交換器の排気ファンユニット（１０４）は電気モータによって駆動される送気または排気扇ユニットまたはエアポンプによって構成され、流体排出流路（１０６０）と外部熱交換器（１０２１）との間の流れる間隔を通して、外部の温度差空間（１３０）の外部気流（１０５１）をポンプで入れ、及び空調の標的空間（１２０）の排気量調整装置（１０６１）及び流体排出流路（１０６０）から排出される相対的に温度差を持つ排出流体（１０５）を圧送し、２つの気流を一緒に外部熱交換器（１０２１）を経て熱交換を行った後、外部の温度差空間（１３０）へ排出し、
液冷媒配管（１０３）は、独立して設置される分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れ、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であって、
液冷媒配管（１０３）と流体排出流路（１０６０）を個別に設置し、または同一構造にすることができることを特徴とする請求項１５に記載の空調装置。
【請求項２４】
外部熱交換器（１０２１）によって構成される分離型エアコンの室外機（２００２）を設置し、
分離型エアコンの室外本体（２００７）を独立して設置し、
内部熱交換器（２０３）、スロットル装置（２０２）、制御装置（２０１）とエアコンの送気ファン（２０４）によって構成される分離型エアコンの室内機（２００６）を設置し、
分離型エアコンの室外機（２００２）、分離型エアコンの室外本体（２００７）、及び分離型エアコンの室内機（２００６）の間に液冷媒配管（１０３）によって構成される冷媒の圧縮循環回路を備え、また断熱装置（１１０）に送気ポンプ（１０４１）と排気量調整装置（１０６１）を分離設置し、
空調の標的空間（１２０）で排気量調整装置（１０６１）、送気ポンプ（１０４１）と外部熱交換器（１０２１）との間を経て、流体排出流路（１０６０）を設置し、
分離型エアコンの室外機（２００２）に外部熱交換器（１０２１）と液冷媒配管（１０３）を設置し、及び分離型エアコンの室外本体（２００７）を独立して設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成し、
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動し、
断熱装置（１１０）に排気量調整装置（１０６１）、送気ポンプ（１０４１）と流体排出流路（１０６０）を分離設置し、
分離型エアコンの室外機（２００２）の外部熱交換器（１０２１）に液冷媒配管（１０３）を設け、冷媒を通過させ、かつ排出流体（１０５）と熱交換を行い、
液冷媒配管（１０３）は、分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れ、
送気ポンプ（１０４１）は、電気モータによって駆動される送気または排気扇ユニットまたはエアポンプによって構成され、空調の標的空間（１２０）を圧送し、排気量調整装置（１０６１）及び排出流路（１０６０）のポンプで送り出される相対的に温度差を持つ排出流体（１０５）を圧送し、２つの気流を一緒に外部熱交換器（１０２１）を経て、外部の温度差空間（１３０）へ排出し、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であって、
液冷媒配管（１０３）と流体排出流路（１０６０）を個別に設置し、または同一構造にすることができることを特徴とする請求項１５に記載の空調装置。
【請求項２５】
外部熱交換器（１０２１）、排気ファンユニット（１０４）によって構成される分離型エアコンの室外機（２００２）を設置し、
分離型エアコンの室外本体（２００７）を独立して設置し、
内部熱交換器（２０３）、スロットル装置（２０２）、制御装置（２０１）とエアコンの送気ファン（２０４）によって構成される分離型エアコンの室内機（２００６）を設置し、
分離型エアコンの室外機（２００２）、分離型エアコンの室外本体（２００７）、及び分離型エアコンの室内機（２００６）の間に液冷媒配管（１０３）によって構成される冷媒の圧縮循環回路を備え、
断熱装置（１１０）に送気ポンプ（１０４１）と排気量調整装置（１０６１）を分離設置し、
空調の標的空間（１２０）を経て、排気量調整装置（１０６１）、送気ポンプ（１０４１）と外部熱交換器（１０２１）との間に流体排出流路（１０６０）及び外部気流（１０５１）を設置し、
分離型エアコンの室外機（２００２）に外部熱交換器（１０２１）、液冷媒配管（１０３）と外部熱交換器の排気ファンユニット（１０４）を設置し、及び分離型エアコンの室外本体（２００７）を独立して設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成し、
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動し、
断熱装置（１１０）に排気量調整装置（１０６１）、送気ポンプ（１０４１）と流体排出流路（１０６０）を分離設置し、
分離型エアコンの室外機（２００２）の外部熱交換器（１０２１）に液冷媒配管（１０３）を設け、冷媒を通過させ、かつ外部熱交換器（１０２１）にある外部の温度差空間（１３０）の外部気流（１０５１）及び排出流体（１０５）と熱交換を行い、
分離型エアコンの室外機（２００２）に設置される外部熱交換器の排気ファンユニット（１０４）は電気モータによって駆動される送気または排気扇ユニットまたはエアポンプによって構成され、流体排出流路（１０６０）と外部熱交換器（１０２１）との間の流れる間隔を通して、外部の温度差空間（１３０）の外部気流（１０５１）をポンプで入れ、及び空調の標的空間（１２０）の排気量調整装置（１０６１）及び流体排出流路（１０６０）から排出される相対的に温度差を持つ排出流体（１０５）を圧送し、２つの気流を一緒に外部熱交換器（１０２１）を経て熱交換を行った後、外部の温度差空間（１３０）へ排出し、
液冷媒配管（１０３）は、独立して設置される分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れ、
排気量調整装置（１０６１）は、排出流体（１０５）の排出量を調整設定する流体ゲート、遮断ゲートまたはバルブの構造によって構成され、
流体排出流路（１０６０）は、排出流体（１０５）を排出する流体通路であって、
液冷媒配管（１０３）と流体排出流路（１０６０）を個別に設置し、または同一構造にすることができることを特徴とする請求項１５に記載の空調装置。
【考案の詳細な説明】
【技術分野】
【０００１】
本考案は、温度を調整する冷暖空調装置に関する。
【背景技術】
【０００２】
従来の冷暖空調システムを使用するとき、外部換気が必要であるために、通常窓用エアコン本体に外部換気口を設置して換気を行い、または窓用エアコン本体に換気装置、例えば通風機または全熱交換換気装置によって外部換気を行い、または分離型空調システムに換気装置、例えば通風機または全熱交換換気装置の外部に設置することによって換気を行う。
【先行技術文献】
【特許文献】
【０００３】
【特許文献１】特開２００５−２８３０１４号公報
【考案の概要】
【考案が解決しようとする課題】
【０００４】
従来の窓用エアコンまたは分離型空調システムを冷房として稼動するとき、空調の標的空間、例えば室内から排出される相対的に低温である気流は、今まで室外に設置される凝結機能を備える外部熱交換器に協力して降温を行うことができない。空調装置を暖房機能として稼動するとき、その外部へ排出する相対的に高温である気流は、室外に設置される蒸発機能を備える外部熱交換器に協力して昇温を行うこともできない。
本考案は、上記の問題に鑑みてなされたものであり、その目的は、外部熱交換装置の内部を通過する流体を均温させることによって、省エネ効果を達成する空調装置を提供することにある。
【課題を解決するための手段】
【０００５】
本考案は、温度を調整する冷暖空調装置の一種であって、空調の標的空間、例えば室内またはキャリアの内部で外部に対して気流を換気・排出するように圧送し、空調の標的外部空間、例えば室外またはキャリアの外部に設置する外部熱交換器を通過することによって、空調の標的空間と空調の標的外部空間との温度差を通して、外部熱交換装置の内部を通過する流体を均温させる。
空調装置を冷房として稼動するとき、空調の標的空間、例えば室内から排出される相対的に低温である気流は、室外に設置される凝結機能を備える外部熱交換器に協力して降温を行う。
空調装置を暖房として稼動するとき、その外部へ排出する相対的に高温である気流は、室外に設置される蒸発機能を備える外部熱交換器に協力して昇温を行う。
本考案の省エネへの応用は、建物の室内、工場建物、公共建物、テント等の固定体のガス冷暖房空調設備または流体調温装置の内部空間と外部空間との間に設置されることを含む。また移動体への応用は、例えば自動車、軌道車両または飛行体のガス冷暖房空調設備または流体調温装置の内部空間と外部空間との間に設置され、または設備装置のガス冷暖房空調設備または流体調温装置の内部空間と外部空間に設置されることを含む。
【図面の簡単な説明】
【０００６】
【図１】本考案の一体型空調システムを例にする作動原理図を示す。
【図２】本考案の第１実施例の構造模式図を示す。
【図３】本考案の第２実施例の構造模式図を示す。
【図４】本考案の第３実施例の構造模式図を示す。
【図５】本考案の第４実施例の構造模式図を示す。
【図６】本考案の第５実施例の構造模式図を示す。
【図７】本考案の第６実施例の構造模式図を示す。
【図８】本考案の第７実施例の構造模式図を示す。
【図９】本考案の第８実施例の構造模式図を示す。
【図１０】本考案の第９実施例の構造模式図を示す。
【図１１】本考案の第１０実施例の構造模式図を示す。
【図１２】本考案の第１１実施例の構造模式図を示す。
【図１３】本考案の第１２実施例の構造模式図を示す。
【図１４】本考案の第１３実施例の構造模式図を示す。
【図１５】本考案の第１４実施例の構造模式図を示す。
【図１６】本考案の第１５実施例の構造模式図を示す。
【図１７】本考案の第１６実施例の構造模式図を示す。
【図１８】本考案の第１７実施例の構造模式図を示す。
【図１９】本考案の第１８実施例の構造模式図を示す。
【図２０】本考案の第１９実施例の構造模式図を示す。
【図２１】本考案の第２０実施例の構造模式図を示す。
【図２２】本考案の第２１実施例の構造模式図を示す。
【図２３】本考案の第２２実施例の構造模式図を示す。
【図２４】本考案の第２３実施例の構造模式図を示す。
【考案を実施するための形態】
【０００７】
従来の冷暖空調システムを使用するとき、外部換気が必要であるために、通常窓用エアコン本体に外部換気口を設置して換気を行い、または窓用エアコン本体に換気装置、例えば通風機または全熱交換換気装置によって外部換気を行い、または分離型空調システムに換気装置、例えば通風機または全熱交換換気装置の外部に設置することによって換気を行う。
しかし、上述した窓用エアコンまたは分離型空調システムを冷房として稼動するとき、空調の標的空間、例えば室内から排出される相対的に低温である気流は、今まで室外に設置される凝結機能を備える外部熱交換器に協力して降温を行うことができない。
また、空調装置を暖房機能として稼動するとき、その外部へ排出する相対的に高温である気流は、室外に設置される蒸発機能を備える外部熱交換器に協力して昇温を行うこともできないので無駄である。
【０００８】
本考案は温度を調整する冷暖空調装置の一種であって、空調の標的空間、例えば室内またはキャリアの内部等の空調の標的空間の外部へ排出する排出流体（１０５）及び／または圧送される外部の気流（１０５１）を通して、空調の標的外部、例えば室外またはキャリアの外部に設置される外部熱交換器（１０２１）の内部の液冷媒配管（１０３）を通過することによって熱交換を行う。
空調装置を冷房として稼動するとき、空調の標的空間、例えば室内から排出される相対的に低温である気流は、室外に設置される凝結機能を備える外部熱交換器に協力して降温を行う。
空調装置を暖房のヒートポンプ機能として稼動するとき、その外部へ排出する相対的に高温である気流は、室外に設置される蒸発機能を備える外部熱交換器に協力して昇温を行う。
本考案の省エネへの応用は、建物の室内、工場建物、公共建物、テント等の固定体のガス冷暖房空調設備または流体調温装置の内部空間と外部空間との間に設置されることを含む。また移動体への応用は，例えば自動車、軌道車両または飛行体のガス冷暖房空調設備または流体調温装置の内部空間と外部空間との間に設置され、または設備装置のガス冷暖房空調設備または流体調温装置の内部空間と外部空間に設置されることを含む。
【０００９】
図１に本考案の一体型空調システムを例にする作動原理図を示す。
図１の主な構成は下記の通りである。
−−空調装置本体（１０１）：主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成する。及び排気量調整装置（１０６１）と流体排出流路（１０６０）を設けることによって、排出流体（１０５）を通過させ、外部熱交換器（１０２１）を経て、外部の温度差空間（１３０）へ排出する。
−−外部熱交換器（１０２１）：外部熱交換器（１０２１）に液冷媒配管（１０３）を設けることによって、本体から来る冷媒を通過させ、外部熱交換器（１０２１）にある外部の温度差空間（１３０）の外部気流（１０５１）及び排出流体（１０５）と熱交換を行う。
【００１０】
−−流体排出流路（１０６０）または外部熱交換器（１０２１）の入気側または排気側に、上述した３箇所の１箇所以上に送気ポンプ（１０４１）または外部熱交換器の排気ファンユニット（１０４）を設置することによって、排出流体（１０５）を圧送し、外部熱交換器（１０２１）を経て、外部の温度差空間（１３０）へ排出する。
上述した外部熱交換器の排気ファンユニット（１０４）または送気ポンプ（１０４１）は、電気モータによって駆動される送気または排気扇ユニットまたはエアポンプによって構成される。空調の標的空間（１２０）を圧送し、排気量調整装置（１０６１）及び流体排出流路（１０６０）のポンプで送り出される相対的に温度差を持つ排出流体（１０５）を圧送し、または同時に排出流体（１０５）及び外部気流（１０５１）を圧送し、外部熱交換器（１０２１）を経て、外部の温度差空間（１３０）へ排出し、２つの気流を一緒に外部熱交換器（１０２１）を経て、外部の温度差空間（１３０）へ排出する。
【００１１】
−−液冷媒配管（１０３）：空調装置本体（１０１）及び外部熱交換器（１０２１）を連結する循環管路であって、その管路の中に気相または液相の冷媒が流れる。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
【００１２】
その作動原理は下記の通りである。
空調の標的空間（１２０）に対して冷房機能が動作するとき、もし外部熱交換器（１０２１）が位置する外部の温度差空間（１３０）の温度が比較的高く、外部熱交換器の排気ファンユニット（１０４）のみによって外部気流（１０５１）を圧送する場合、外部熱交換器（１０２１）の中に設置する液冷媒配管（１０３）の中の冷媒は放熱し難くなる。もし外部熱交換器の排気ファンユニット（１０４）及び／または排気量調整装置（１０６１）の二者またはその中の一つによって、室内空調の標的空間（１２０）に相対的に低温の排出流体（１０５）を圧送し、または同時に排出流体（１０５）及び外部気流（１０５１）を圧送し、外部熱交換器（１０２１）へ流し、外部熱交換器（１０２１）の降温効果を高めると、冷房効率を高めることに役立っている。
【００１３】
逆に空調の標的空間（１２０）に対して暖房のヒートポンプ機能へ応用するとき、外部に対して熱交換器（１０２１）に相対的に高温の排出流体（１０５）を圧送し、外部熱交換器（１０２１）へ流し、外部熱交換器（１０２１）の昇温効果を高めると、暖房効率を高めることに役立っている。
【００１４】
本実施例の空調装置は、断熱装置（１１０）の設置場所を通して、空調の標的空間（１２０）及び外部の温度差空間（１３０）を隔離し、断熱装置（１１０）は建物の壁、キャリアのボディシェル、または構造のボディシェル等の断熱性または比較的断熱性能の良い断熱材によって構成される。
【００１５】
本実施例の空調装置で述べた空調の標的空間（１２０）は、通常建物の内部、車内、船内、飛行体の内部または設備装置の内部を空調装置の昇温調整または降温調整の標的にすることを指す。上述した排出流体（１０５）は、空調の標的空間（１２０）の内部によって外部に対して外部熱交換器（１０２１）へ流れる気流を排出することを指す。
【００１６】
本実施例の空調装置で述べた外部の温度差空間（１３０）は、空調の標的空間（１２０）との間が断熱装置（１１０）によって隔離される外部空間を指す。
【００１７】
本実施例の空調装置で述べた外部気流（１０５１）は、外部の温度差空間（１３０）の回りの気流を指す。
−−本実施例の空調装置の排出流体（１０５）は、温度コントローラの外部に設置した外部に対して熱交換器の温度より高い温度を含む。
−−本実施例の空調装置の排出流体（１０５）は、温度コントローラの外部に設置した外部に対して熱交換器の温度より低い温度を含む。
−−本実施例の空調装置の排出流体（１０５）は、外部空間の外部熱交換器（１０２１）に設置した液冷媒配管（１０３）の表面または外部熱交換器（１０２１）の表面と熱交換を行う。
【００１８】
本実施例の空調装置、上述した作動原理を各種形態の空調装置、例えば一体型空調システム、分離型空調システム、または外部熱交換器（１０２１）の冷却塔に代えて冷却塔を用いる空調装置へ適用することを含む。
以下に本考案の空調装置の数種類の実施例を説明する。
【００１９】
（第１実施例）
図２に外部熱交換器の排気ファンユニット（１０４）を備える一体型空調システム、並びに、排出流体（１０５）及び外部気流（１０５１）を圧送し、一緒に外部熱交換器（１０２１）へ流すための流体排出流路（１０６）に適用される本考案の実施例の構造模式図を示す。
図２の主な構成は下記の通りである。
【００２０】
−−空調装置本体（１０１）：主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成する。及び排気量調整装置（１０６１）を設けることによって、及びボディシェルを通して、排出流体（１０５）が外部熱交換器（１０２１）へ流れる流体排出流路（１０６）を形成する。
−−外部熱交換器（１０２１）：外部熱交換器（１０２１）に液冷媒配管（１０３）を設けることによって、本体から来る冷媒を通過させ、外部熱交換器（１０２１）にある外部の温度差空間（１３０）の外部気流（１０５１）及び排出流体（１０５）と熱交換を行う。
【００２１】
−−液冷媒配管（１０３）：空調装置本体（１０１）及び外部熱交換器（１０２１）を連結する循環管路であって、その管路の中に気相または液相の冷媒が流れる。
−−外部熱交換器の排気ファンユニット（１０４）：電気モータによって駆動される送気または排気扇ユニットまたはエアポンプによって構成される。外部の温度差空間（１３０）の外部気流（１０５１）を圧送し、及び空調の標的空間（１２０）を圧送し、排気量調整装置（１０６１）及び排出流路（１０６）のポンプで送り出される相対的に温度差を持つ排出流体（１０５）を圧送し、２つの気流を一緒に外部熱交換器（１０２１）を経て、外部の温度差空間（１３０）へ排出する。
−−排気量調整装置（１０６１）：排出流体（１０５）の排出量を調整設定する流体ゲート、遮断ゲートまたはバルブの構造によって構成される。
−−流体排出流路（１０６）：排出流体（１０５）を排出する流体通路である。
上述した構造によって一体型空調システムのアセンブリ（１０００）を構成する。
【００２２】
（第２実施例）
図３に外部熱交換器の排気ファンユニット（１０４）を備えない一体型空調システム、及び、排出流体（１０５）を圧送し、外部熱交換器（１０２１）へ流すための送気ポンプ（１０４１）が一体に設けられた流体排出流路（１０６）に適用される本考案の実施例の構造模式図を示す。
図３の主な構成は下記の通りである。
【００２３】
−−空調装置本体（１０１）：主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成する。及びボディシェルを通して流体排出流路（１０６）を形成し、及び排気量調整装置（１０６１）と送気ポンプ（１０４１）を設ける。
−−外部熱交換器（１０２１）：外部熱交換器（１０２１）に液冷媒配管（１０３）を設けることによって、本体から来る冷媒を通過させ、外部熱交換器（１０２１）を通して、排出流体（１０５）と熱交換を行う。
【００２４】
−−液冷媒配管（１０３）：空調装置本体（１０１）及び外部熱交換器（１０２１）を連結する循環管路であって、その管路の中に気相または液相の冷媒が流れる。
−−送気ポンプ（１０４１）：電気モータによって駆動される送気または排気扇ユニットまたはエアポンプによって構成される。空調の標的空間（１２０）を圧送し、排気量調整装置（１０６１）及び排出流路（１０６）のポンプで送り出される相対的に温度差を持つ排出流体（１０５）を圧送し、外部熱交換器（１０２１）を経て、外部の温度差空間（１３０）へ排出する。
−−排気量調整装置（１０６１）：排出流体（１０５）の排出量を調整設定する流体ゲート、遮断ゲートまたはバルブの構造によって構成される。
−−流体排出流路（１０６）：排出流体（１０５）を排出する流体通路である。
上述した構造によって一体型空調システムのアセンブリ（１０００）を構成する。
【００２５】
（第３実施例）
図４に流体排出流路（１０６０）、並びに、排出流体（１０５）及び外部気流（１０５１）を圧送し、一緒に空調システムのアセンブリ（１０００）の外部熱交換器（１０２１）へ流すための外部熱交換器の排気ファンユニット（１０４）に適用される本考案の実施例の構造模式図を示す。
図４の主な構成は下記の通りである。
【００２６】
−−空調装置本体（１０１）：主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成する。及び流体排出流路（１０６０）と排気量調整装置（１０６１）を設ける。
−−外部熱交換器（１０２１）：外部熱交換器（１０２１）に液冷媒配管（１０３）を設けることによって、本体から来る冷媒を通過させ、外部熱交換器（１０２１）にある外部の温度差空間（１３０）の外部気流（１０５１）及び排出流体（１０５）と熱交換を行う。
【００２７】
−−液冷媒配管（１０３）：空調装置本体（１０１）及び外部熱交換器（１０２１）を連結する循環管路であって、その管路の中に気相または液相の冷媒が流れる。
−−外部熱交換器の排気ファンユニット（１０４）：電気モータによって駆動される送気または排気扇ユニットまたはエアポンプによって構成される。外部の温度差空間（１３０）の外部気流（１０５１）を圧送し、及び空調の標的空間（１２０）を圧送し、排気量調整装置（１０６１）及び流体排出流路（１０６０）のポンプで送り出される相対的に温度差を持つ排出流体（１０５）を圧送し、２つの気流を一緒に外部熱交換器（１０２１）を流れ、外部の温度差空間（１３０）へ排出する。
上述した構造によって一体型空調システムのアセンブリ（１０００）を構成する。
【００２８】
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
【００２９】
（第４実施例）
図５に分離設置する送気ポンプ（１０４１）と排気量調整装置（１０６１）を備え、及び外部熱交換器の排気ファンユニット（１０４）を備えない空調システムのアセンブリ（１０００）へ適用される本考案の実施例の構造模式図を示す。
図５の主な構成は下記の通りである。
【００３０】
−−空調装置本体（１０１）：主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成する。及び流体排出流路（１０６０）、排気量調整装置（１０６１）、送気ポンプ（１０４１）を設ける。
−−外部熱交換器（１０２１）：外部熱交換器（１０２１）に液冷媒配管（１０３）を設けることによって、本体から来る冷媒を通過させ、外部熱交換器（１０２１）を通して、排出流体（１０５）と熱交換を行う。
【００３１】
−−液冷媒配管（１０３）：空調装置本体（１０１）及び外部熱交換器（１０２１）を連結する循環管路であって、その管路の中に気相または液相の冷媒が流れる。
上述した構造によって一体型空調システムのアセンブリ（１０００）を構成する。
【００３２】
−−送気ポンプ（１０４１）：電気モータによって駆動される送気または排気扇ユニットまたはエアポンプによって構成される。空調の標的空間（１２０）を圧送し、排気量調整装置（１０６１）及び排出流路（１０６０）のポンプで送り出される相対的に温度差を持つ排出流体（１０５）を圧送し、外部熱交換器（１０２１）を経て、外部の温度差空間（１３０）へ排出する。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
【００３３】
（第５実施例）
図６に外部熱交換器の排気ファンユニット（１０４）、流体排出流路（１０６０）、送気ポンプ（１０４１）を備える空調システムのアセンブリ（１０００）へ適用される本考案の実施例の構造模式図を示す。
図６の主な構成は下記の通りである。
【００３４】
−−空調装置本体（１０１）：主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成する。及び流体排出流路（１０６０）と送気ポンプ（１０４１）を設ける。
−−外部熱交換器（１０２１）：外部熱交換器（１０２１）に液冷媒配管（１０３）を設けることによって、本体から来る冷媒を通過させ、外部熱交換器（１０２１）にある外部の温度差空間（１３０）の外部気流（１０５１）及び排出流体（１０５）と熱交換を行う。
【００３５】
−−液冷媒配管（１０３）：空調装置本体（１０１）及び外部熱交換器（１０２１）を連結する循環管路であって、その管路の中に気相または液相の冷媒が流れる。
−−外部熱交換器の排気ファンユニット（１０４）：電気モータによって駆動される送気または排気扇ユニットまたはエアポンプによって構成される。外部の温度差空間（１３０）の外部気流（１０５１）を圧送し、及び空調の標的空間（１２０）を圧送し、送気ポンプ（１０４１）を通して、排気量調整装置（１０６１）及び流体排出流路（１０６０）のポンプで送り出される相対的に温度差を持つ排出流体（１０５）を圧送し、２つの気流を一緒に外部熱交換器（１０２１）を流れ、外部の温度差空間（１３０）へ排出する。
上述した構造によって一体型空調システムのアセンブリ（１０００）を構成する。
【００３６】
−−送気ポンプ（１０４１）：電気モータによって駆動される送気または排気扇ユニットまたはエアポンプによって構成される。空調の標的空間（１２０）を圧送し、排気量調整装置（１０６１）及び排出流路（１０６０）のポンプで送り出される相対的に温度差を持つ排出流体（１０５）を圧送し、２つの気流を一緒に外部熱交換器（１０２１）を経て、外部の温度差空間（１３０）へ排出する。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
【００３７】
（第６実施例）
図７に外部熱交換器の排気ファンユニット（１０４）を備える分離型エアコンの室外機（２００２）及び流体排出流路（１０６０）を設置する分離型エアコンの本体（２００１）へ適用される本考案の実施例の構造模式図を示す。
図７の主な構成は下記の通りである。
【００３８】
−−分離型エアコンの本体（２００１）：主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）の分離型エアコンの室外機（２００２）の中にある外部熱交換器（１０２１）の管路と一緒に循環流路を構成する。及び流体排出流路（１０６０）と排気量調整装置（１０６１）を設ける。
【００３９】
−−分離型エアコンの室外機（２００２）：分離型エアコンの室外機（２００２）にボディシェルと外部熱交換器（１０２１）を設け、外部熱交換器（１０２１）に液冷媒配管（１０３）を設けることによって、分離型エアコンの本体（２００１）から来る冷媒を通過させ、外部熱交換器（１０２１）にある外部の温度差空間（１３０）の外部気流（１０５１）及び排出流体（１０５）と熱交換を行う。及び外部熱交換器の排気ファンユニット（１０４）を設け、外部熱交換器の排気ファンユニット（１０４）は、電気モータによって駆動される送気または排気扇ユニットまたはエアポンプによって構成される。外部の温度差空間（１３０）の外部気流（１０５１）を圧送し、及び空調の標的空間（１２０）を経て、排気量調整装置（１０６１）と流体排出流路（１０６０）のポンプで送り出される相対的に温度差を持つ排出流体（１０５）を圧送し、２つの気流を一緒に外部熱交換器（１０２１）を経て、外部の温度差空間（１３０）へ排出する。
【００４０】
−−液冷媒配管（１０３）：空調装置本体（１０１）及び外部熱交換器（１０２１）を連結する循環管路であって、その管路の中に気相または液相の冷媒が流れる。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
【００４１】
（第７実施例）
図８に送気ポンプ（１０４１）が一体に設けられた分離型エアコンの本体（２００１）、及び外部熱交換器の排気ファンユニット（１０４）を備えない分離型エアコンの室外機（２００２）に適用される本考案の実施例の構造模式図を示す。
図８の主な構成は下記の通りである。
【００４２】
−−分離型エアコンの本体（２００１）：主にスロットル装置、内部熱交換器（２０３）、圧縮装置、管路、制御装置（２０１）、エアコンの送気ファン及びボディシェルによって分離型エアコンの本体を構成し、また液冷媒配管（１０３）を通して、外部の温度差空間（１３０）に設置される分離型エアコンの室外機（２００２）の中にある外部熱交換器（１０２１）の管路と一緒に循環流路を構成する。及び流体排出流路（１０６０）と送気ポンプ（１０４１）を設ける。
【００４３】
−−分離型エアコンの室外機（２００２）：分離型エアコンの室外機（２００２）にボディシェルと外部熱交換器（１０２１）を設け、外部熱交換器（１０２１）に液冷媒配管（１０３）を設けることによって、分離型エアコンの本体（２００１）から来る冷媒を通過させ、外部熱交換器（１０２１）を通して、排出流体（１０５）と熱交換を行う。
【００４４】
−−液冷媒配管（１０３）：空調装置本体（１０１）及び外部熱交換器（１０２１）を連結する循環管路であって、その管路の中に気相または液相の冷媒が流れる。
−−送気ポンプ（１０４１）：電気モータによって駆動される送気または排気扇ユニットまたはエアポンプによって構成される。空調の標的空間（１２０）を圧送し、排気量調整装置（１０６１）及び排出流路（１０６０）のポンプで送り出される相対的に温度差を持つ排出流体（１０５）を圧送し、外部熱交換器（１０２１）を経て、外部の温度差空間（１３０）へ排出する。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
【００４５】
（第８実施例）
図９に別に設置する流体排出流路（１０６０）、分離型エアコンの本体（２００１）、及び外部熱交換器の排気ファンユニット（１０４）を備える分離型エアコンの室外機（２００２）に適用される本考案の実施例の構造模式図を示す。
図９の主な構成は下記の通りである。
【００４６】
−−分離型エアコンの本体（２００１）：主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）の分離型エアコンの室外機（２００２）の中にある外部熱交換器（１０２１）の管路と一緒に循環流路を構成する。及び流体排出流路（１０６０）と排気量調整装置（１０６１）を設ける。
【００４７】
−−分離型エアコンの室外機（２００２）：分離型エアコンの室外機（２００２）にボディシェルと外部熱交換器（１０２１）を設け、外部熱交換器（１０２１）に液冷媒配管（１０３）を設けることによって、分離型エアコンの本体（２００１）から来る冷媒を通過させ、外部熱交換器（１０２１）の外部の温度差空間（１３０）の外部気流（１０５１）及び排出流体（１０５）と熱交換を行う。及び外部熱交換器の排気ファンユニット（１０４）を設け、外部熱交換器の排気ファンユニット（１０４）は、電気モータによって駆動される送気または排気扇ユニットまたはエアポンプによって構成される。外部の温度差空間（１３０）の外部気流（１０５１）を圧送し、及び空調の標的空間（１２０）を経て、排気量調整装置（１０６１）と流体排出流路（１０６０）のポンプで送り出される相対的に温度差を持つ排出流体（１０５）を圧送し、２つの気流を一緒に外部熱交換器（１０２１）を経て、外部の温度差空間（１３０）へ排出する。
【００４８】
−−液冷媒配管（１０３）：分離型エアコンの本体（２００１）及び外部熱交換器（１０２１）を連結する循環管路であって、その管路の中に気相または液相の冷媒が流れる。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
【００４９】
（第９実施例）
図１０に別に設置される送気ポンプ（１０４１）、分離型エアコンの本体（２００１）、及び外部熱交換器の排気ファンユニット（１０４）を備えない分離型エアコンの室外機（２００２）に適用される本考案の実施例の構造模式図を示す。
図１０の主な構成は下記の通りである。
【００５０】
−−分離型エアコンの本体（２００１）：主にスロットル装置、内部熱交換器（２０３）、圧縮装置、管路、制御装置（２０１）、エアコンの送気ファン及びボディシェルによって分離型エアコンの本体を構成し、また液冷媒配管（１０３）を通して、外部の温度差空間（１３０）に設置される外部熱交換器（１０２１）の管路と一緒に循環流路を構成する。及び流体排出流路（１０６０）、排気量調整装置（１０６１）と送気ポンプ（１０４１）を設ける。
【００５１】
−−分離型エアコンの室外機（２００２）：ボディシェルと外部熱交換器（１０２１）を備え、外部熱交換器（１０２１）に液冷媒配管（１０３）を設けることによって、分離型エアコンの本体（２００１）から来る冷媒を通過させ、外部熱交換器（１０２１）を通して、排出流体（１０５）と熱交換を行う。
【００５２】
−−液冷媒配管（１０３）：分離型エアコンの本体（２００１）及び外部熱交換器（１０２１）を連結する循環管路であって、その管路の中に気相または液相の冷媒が流れる。
−−送気ポンプ（１０４１）：電気モータによって駆動される送気または排気扇ユニットまたはエアポンプによって構成される。空調の標的空間（１２０）を圧送し、排気量調整装置（１０６１）及び排出流路（１０６０）のポンプで送り出される相対的に温度差を持つ排出流体（１０５）を圧送し、外部熱交換器（１０２１）を経て、外部の温度差空間（１３０）へ排出する。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
【００５３】
（第１０実施例）
図１１に分離型エアコンの本体（２００１）、外部熱交換器の排気ファンユニット（１０４）を備える分離型エアコンの室外機（２００２）、及び別に設置される送気ポンプ（１０４１）に適用される本考案の実施例の構造模式図を示す。
図１１の主な構成は下記の通りである。
【００５４】
−−分離型エアコンの本体（２００１）：主にスロットル装置、内部熱交換器（２０３）、圧縮装置、管路、制御装置（２０１）、エアコンの送気ファン及びボディシェルによって空調装置本体を構成し、また液冷媒配管（１０３）を通して、外部の温度差空間（１３０）に設置される外部熱交換器（１０２１）の管路と一緒に循環流路を構成する。及び流体排出流路（１０６０）、排気量調整装置（１０６１）と送気ポンプ（１０４１）を設ける。
【００５５】
−−分離型エアコンの室外機（２００２）：ボディシェルと外部熱交換器（１０２１）を備え、外部熱交換器（１０２１）に液冷媒配管（１０３）を設けることによって、分離型エアコンの本体（２００１）から来る冷媒を通過させ、外部熱交換器（１０２１）にある外部の温度差空間（１３０）の外部気流（１０５１）及び排出流体（１０５）と熱交換を行う。及び外部熱交換器の排気ファンユニット（１０４）を設け、外部熱交換器の排気ファンユニット（１０４）は、電気モータによって駆動される送気または排気扇ユニットまたはエアポンプによって構成される。外部の温度差空間（１３０）の外部気流（１０５１）を圧送し、及び空調の標的空間（１２０）を経て、排気量調整装置（１０６１）と流体排出流路（１０６０）のポンプで送り出される相対的に温度差を持つ排出流体（１０５）を圧送し、２つの気流を一緒に外部熱交換器（１０２１）を経て、外部の温度差空間（１３０）へ排出する。
【００５６】
−−液冷媒配管（１０３）：分離型エアコンの本体（２００１）及び外部熱交換器（１０２１）≡を連結する循環管路であって、その管路の中に気相または液相の冷媒が流れる。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
【００５７】
（第１１実施例）
図１２に水冷式空調装置本体（２００５）、動力ファン式冷却塔（２００３）、及び別に設置される送気ポンプ（１０４１）に適用される本考案の実施例の構造模式図を示す。
図１２の主な構成は下記の通りである。
【００５８】
−−水冷式空調装置本体（２００５）：主にスロットル装置、内部熱交換器（２０３）、圧縮装置、管路、制御装置（２０１）、エアコンの送気ファン水冷式冷却装置及びボディシェルによって構成される空調装置本体を設け、また水冷式空調装置本体（２００５）の水冷凝縮器に水管（１０７）を設置し、外部の温度差空間（１３０）に設置する動力ファン式冷却塔（２００３）の進水及び排水管路の出入水管（１０９）を連結することによって、循環水流路を構成する。及び流体排出流路（１０６０）、排気量調整装置（１０６１）と送気ポンプ（１０４１）を設置することによって、送気ポンプ（１０４１）を通して排出流体（１０５）を圧送し、排気量調整装置（１０６１）及び流体排出流路（１０６０）を経て、動力ファン式冷却塔（２００３）の入気口へ流す。
【００５９】
−−動力ファン式冷却塔（２００３）：冷却塔風扇ユニット（１０８）を設けた冷却塔によって構成され、例えば機械的ドラフト向流式冷却塔、機械的ドラフトクロスフロー式冷却塔、カウンターフロー式冷却塔、機械的クロスフロー式冷却塔、または蒸発冷却塔によって構成される。動力ファン式冷却塔（２００３）に入風口を設けことによって、空調の標的空間（１２０）から来て、送気ポンプ（１０４１）によって圧送する排出流体（１０５）を導入し、流体排出流路（１０６０）を経て、動力ファン式冷却塔（２００３）の入風口に進入することによって、動力ファンを通過し、冷却塔（２００３）の水流を冷却し、また冷却塔風扇ユニット（１０８）を経て周りに放出する。及び出入水管（１０９）を設け、水管（１０７）と連結することによって、冷却水流は動力ファン式冷却塔（２００３）と水冷式空調装置本体（２００５）との間で循環する。
【００６０】
−−水管（１０７）：水冷式空調装置本体（２００５）の水冷凝縮器と動力ファン式冷却塔（２００３）の出入水管（１０９）との間に設ける。
−−冷却塔風扇ユニット（１０８）：電気モータによって駆動される送気または排気扇ユニットまたはエアポンプによって構成される。以下の一種以上の稼動機能を備える。
（１）外部の温度差空間（１３０）の外部気流（１０５１）を圧送し、動力ファン式冷却塔（２００３）の内部を経て、外部の温度差空間（１３０）へ排出する。
（２）空調の標的空間（１２０）を圧送し、排気量調整装置（１０６１）、送気ポンプ（１０４１）と流体排出流路（１０６０）のポンプで送り出される相対的に温度差を持つ排出流体（１０５）を輸送し、動力ファン式冷却塔（２００３）の内部を経て、外部の温度差空間（１３０）へ排出する。
（３）外部気流（１０５１）と排出流体（１０５）の２つの気流を一緒に動力ファン式冷却塔（２００３）の内部を経て、外部の温度差空間（１３０）へ排出する。
【００６１】
−−水ポンプ（１１１）：水冷式空調装置本体（２００５）と動力ファン式冷却塔（２００３）と間の冷却水を圧送し、水管（１０７）を通過させ、及び出入水管（１０９）で循環冷却を行う。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
【００６２】
（第１２実施例）
図１３に水冷式空調装置本体（２００５）、及び動力ファン式冷却塔（２００３）に適用される本考案の実施例の構造模式図を示す。
図１３の主な構成は下記の通りである。
【００６３】
−−水冷式空調装置本体（２００５）：主にスロットル装置、内部熱交換器（２０３）、圧縮装置、管路、制御装置（２０１）、エアコンの送気ファン水冷式冷却装置及びボディシェルによって構成される空調装置本体を設け、また水冷式空調装置本体（２００５）の水冷凝縮器に水管（１０７）を設置し、外部の温度差空間（１３０）に設置する動力ファン式冷却塔（２００３）の進水と排水管路の出入水管（１０９）を連結することによって、循環水流路を構成する。及び排気量調整装置（１０６１）と流体排出流路（１０６０）を設けることによって、排出流体（１０５）を輸送し、動力ファン式冷却塔（２００３）の入気口へ流す。
【００６４】
−−動力ファン式冷却塔（２００３）：冷却塔風扇ユニット（１０８）を設けた冷却塔によって構成され、例えば機械的ドラフト向流式冷却塔、機械的ドラフトクロスフロー式冷却塔、カウンターフロー式冷却塔、機械的クロスフロー式冷却塔、または蒸発冷却塔によって構成される。動力ファン式冷却塔（２００３）に入風口を設けことによって、空調の標的空間（１２０）から来る排出流体（１０５）を導入し、流体排出流路（１０６０）を経て、動力ファン式冷却塔（２００３）の入風口に進入することによって、動力ファンを通過し、冷却塔（２００３）の水流を冷却し、また冷却塔風扇ユニット（１０８）を経て周りに放出する。及び出入水管（１０９）を設け、水管（１０７）と連結することによって、冷却水流は動力ファン式冷却塔（２００３）と水冷式空調装置本体（２００５）との間で循環する。
【００６５】
−−水管（１０７）：水冷式空調装置本体（２００５）の水冷凝縮器と動力ファン式冷却塔（２００３）の出入水管（１０９）との間に設ける。
−−冷却塔風扇ユニット（１０８）：電気モータによって駆動される送気または排気扇ユニットまたはエアポンプによって構成される。以下の一種以上の稼動機能を備える。
（１）外部の温度差空間（１３０）の外部気流（１０５１）を圧送し、動力ファン式冷却塔（２００３）の内部を経て、外部の温度差空間（１３０）へ排出する。
（２）空調の標的空間（１２０）を圧送し、排気量調整装置（１０６１）と流体排出流路（１０６０）によって相対的に温度差を持つ排出流体（１０５）を輸送し、動力ファン式冷却塔（２００３）の内部を経て、外部の温度差空間（１３０）へ排出する。
（３）外部気流（１０５１）と排出流体（１０５）の２つの気流を一緒に動力ファン式冷却塔（２００３）の内部を経て、外部の温度差空間（１３０）へ排出する。
【００６６】
−−水ポンプ（１１１）：水冷式空調装置本体（２００５）と動力ファン式冷却塔（２００３）と間の冷却水を圧送し、水管（１０７）を通過させ、及び出入水管（１０９）で循環冷却を行う。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
【００６７】
（第１３実施例）
図１４に水冷式空調装置本体（２００５）、自然通風式冷却塔（２００４）、別に設置される送気ポンプ（１０４１）に適用される本考案の実施例の構造模式図を示す。
図１４の主な構成は下記の通りである。
【００６８】
−−水冷式空調装置本体（２００５）：主にスロットル装置、内部熱交換器（２０３）、圧縮装置、管路、制御装置（２０１）、エアコンの送気ファン水冷式冷却装置及びボディシェルによって構成される空調装置本体を設け、また水冷式空調装置本体（２００５）の水冷凝縮器に水管（１０７）を設置し、外部の温度差空間（１３０）に設置する自然通風式冷却塔（２００４）の進水と排水管路の出入水管（１０９）を連結することによって、循環水流路を構成する。及び流体排出流路（１０６０）、排気量調整装置（１０６１）と送気ポンプ（１０４１）を設けることによって、送気ポンプ（１０４１）を通して、排出流体（１０５）を圧送し、排気量調整装置（１０６１）と流体排出流路（１０６０）を経て、自然通風式冷却塔（２００４）の入気口へ流す。
【００６９】
−−自然通風式冷却塔（２００４）：自然通風式冷却塔、例えばクロスフロー自然通風冷却塔によって構成される。自然通風式冷却塔（２００４）に入風口を設け、以下の一種以上の稼動機能を備える。
（１）外部の温度差空間（１３０）から来る外部気流（１０５１）を導入し、自然通風式冷却塔（２００４）の入風口に進入することによって、自然通風式冷却塔（２００４）を通過し、水流を冷却し、また冷却塔を経て周りに放出する。
（２）空調の標的空間（１２０）を導入し、送気ポンプ（１０４１）を経て、排出流体（１０５）を圧送し、流体排出流路（１０６０）を経て、自然通風式冷却塔（２００４）の入風口に進入することによって、自然通風式冷却塔（２００４）を通過し、水流を冷却し、また冷却塔を経て周りに放出する。
（３）排出流体（１０５）及び外部気流（１０５１）を導入し、自然通風式冷却塔（２００４）の入風口に進入することによって、自然通風式冷却塔（２００４）を通過し、水流を冷却し、冷却塔を経て周りに放出する。及び出入水管（１０９）と連結水管（１０７）を設けることによって、冷却水流を自然通風式冷却塔（２００４）と水冷式空調装置本体（２００５）との間で循環させる。
【００７０】
−−水管（１０７）：水冷式空調装置本体（２００５）の水冷凝縮器と動力ファン式冷却塔（２００３）の出入水管（１０９）との間に設ける。
−−水ポンプ（１１１）：水冷式空調装置本体（２００５）と動力ファン式冷却塔（２００３）と間の冷却水を圧送し、水管（１０７）を通過させ、及び出入水管（１０９）で循環冷却を行う。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
【００７１】
本実施例の空調装置は、更に一歩進んで分離型空調システムへの応用ができる。その主な構成は、内部に分離型エアコンの室外本体（２００７）、外部熱交換器（１０２１）と排気ファンユニット（１０４）によって構成される分離型エアコンの室外機（２００２）を設置する。及び内部に内部熱交換器（２０３）、スロットル装置（２０２）、エアコンの送気ファン（２０４）と制御装置（２０１）の分離型エアコンの室内機（２００６）を設置する。分離型エアコンの室外機（２００２）と分離型エアコンの室内機（２００６）との間に液冷媒配管（１０３）を備えることによって冷媒の圧縮循環回路を構成する。及び空調の標的空間（１２０）から外部熱交換器（１０２１）へ通じる流体排出流路（１０６０）を設置する。説明は下記の通りである。
【００７２】
（第１４実施例）
図１５に本考案の第１４実施例の構造模式図を示す。
図１５に示すように、その主な構成は、外部熱交換器（１０２１）、排気ファンユニット（１０４）と分離型エアコンの室外本体（２００７）によって構成される分離型エアコンの室外機（２００２）を設置する。及び内部熱交換器（２０３）、スロットル装置（２０２）、制御装置（２０１）、エアコンの送気ファン（２０４）と排気量調整装置（１０６１）によって構成される分離型エアコンの室内機（２００６）を設置する。
分離型エアコンの室外機（２００２）と分離型エアコンの室内機（２００６）との間に液冷媒配管（１０３）によって構成される冷媒の圧縮循環回路を備える。
また空調の標的空間（１２０）で排気量調整装置（１０６１）と外部熱交換器（１０２１）との間を経て、流体排出流路（１０６０）及び外部気流（１０５１）を設置する。
【００７３】
−−分離型エアコンの室外機（２００２）に分離型エアコンの室外本体（２００７）、外部熱交換器（１０２１）、液冷媒配管（１０３）と外部熱交換器の排気ファンユニット（１０４）を設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成する。
【００７４】
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動する。分離型エアコンの室内機（２００６）にまた排気量調整装置（１０６１）と流体排出流路（１０６０）を設ける。
分離型エアコンの室外機（２００２）の外部熱交換器（１０２１）に液冷媒配管（１０３）を設け、冷媒を通過させ、かつ外部熱交換器（１０２１）にある外部の温度差空間（１３０）の外部気流（１０５１）及び排出流体（１０５）と熱交換を行う。
【００７５】
分離型エアコンの室外機（２００２）に設置される外部熱交換器の排気ファンユニット（１０４）は電気モータによって駆動される送気または排気扇ユニットまたはエアポンプによって構成される。流体排出流路（１０６０）と外部熱交換器（１０２１）との間の流れる間隔を通して、外部の温度差空間（１３０）の外部気流（１０５１）をポンプで入れ、及び空調の標的空間（１２０）の排気量調整装置（１０６１）及び流体排出流路（１０６０）から排出される相対的に温度差を持つ排出流体（１０５）を圧送し、２つの気流を一緒に外部熱交換器（１０２１）を経て熱交換を行った後、外部の温度差空間（１３０）へ排出する。
【００７６】
−−液冷媒配管（１０３）：分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れる。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
液冷媒配管（１０３）と流体排出流路（１０６０）を個別に設置し、または同一構造にすることができる。
【００７７】
（第１５実施例）
図１６に本考案の第１５実施例の構造模式図を示す。
図１６に示すように、その主な構成は、外部熱交換器（１０２１）と分離型エアコンの室外本体（２００７）によって構成される分離型エアコンの室外機（２００２）を設置する。及び内部熱交換器（２０３）、スロットル装置（２０２）、制御装置（２０１）、エアコンの送気ファン（２０４）、送気ポンプ（１０４１）と排気量調整装置（１０６１）によって構成される分離型エアコンの室内機（２００６）を設置する。
分離型エアコンの室外機（２００２）と分離型エアコンの室内機（２００６）との間に液冷媒配管（１０３）によって構成される冷媒の圧縮循環回路を備える。
また空調の標的空間（１２０）で排気量調整装置（１０６１）、送気ポンプ（１０４１）と外部熱交換器（１０２１）との間を経て、流体排出流路（１０６０）を設置する。
【００７８】
−−分離型エアコンの室外機（２００２）に分離型エアコンの室外本体（２００７）、外部熱交換器（１０２１）と液冷媒配管（１０３）を設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成する。
【００７９】
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動する。分離型エアコンの室内機（２００６）にまた排気量調整装置（１０６１）、送気ポンプ（１０４１）と流体排出流路（１０６０）を設ける。
分離型エアコンの室外機（２００２）の外部熱交換器（１０２１）に液冷媒配管（１０３）を設け、冷媒を通過させ、かつ排出流体（１０５）と熱交換を行う。
【００８０】
−−液冷媒配管（１０３）：分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れる。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
液冷媒配管（１０３）と流体排出流路（１０６０）を個別に設置し、または同一構造にすることができる。
【００８１】
（第１６実施例）
図１７に本考案の第１６実施例の構造模式図を示す。
図１７に示すように、その主な構成は、外部熱交換器（１０２１）、排気ファンユニット（１０４）と分離型エアコンの室外本体（２００７）によって構成される分離型エアコンの室外機（２００２）を設置する。及び内部熱交換器（２０３）、スロットル装置（２０２）、制御装置（２０１）とエアコンの送気ファン（２０４）によって構成される分離型エアコンの室内機（２００６）を設置する。
分離型エアコンの室外機（２００２）と分離型エアコンの室内機（２００６）との間に液冷媒配管（１０３）によって構成される冷媒の圧縮循環回路を備える。
また断熱装置（１１０）に排気量調整装置（１０６１）を分離設置する。
及び空調の標的空間（１２０）で排気量調整装置（１０６１）と外部熱交換器（１０２１）との間を経て、流体排出流路（１０６０）及び外部気流（１０５１）を設置する。
【００８２】
−−分離型エアコンの室外機（２００２）に分離型エアコンの室外本体（２００７）、外部熱交換器（１０２１）、液冷媒配管（１０３）と外部熱交換器の排気ファンユニット（１０４）を設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成する。
【００８３】
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動する。
【００８４】
断熱装置（１１０）に排気量調整装置（１０６１）と流体排出流路（１０６０）を分離設置する。
分離型エアコンの室外機（２００２）の外部熱交換器（１０２１）に液冷媒配管（１０３）を設け、冷媒を通過させ、かつ外部熱交換器（１０２１）にある外部の温度差空間（１３０）の外部気流（１０５１）及び排出流体（１０５）と熱交換を行う。
【００８５】
分離型エアコンの室外機（２００２）に設置される外部熱交換器の排気ファンユニット（１０４）は電気モータによって駆動される送気または排気扇ユニットまたはエアポンプによって構成される。流体排出流路（１０６０）と外部熱交換器（１０２１）との間の流れる間隔を通して、外部の温度差空間（１３０）の外部気流（１０５１）をポンプで入れ、及び空調の標的空間（１２０）の排気量調整装置（１０６１）及び流体排出流路（１０６０）から排出される相対的に温度差を持つ排出流体（１０５）を圧送し、２つの気流を一緒に外部熱交換器（１０２１）を経て熱交換を行った後、外部の温度差空間（１３０）へ排出する。
【００８６】
−−液冷媒配管（１０３）：分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れる。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
液冷媒配管（１０３）と流体排出流路（１０６０）を個別に設置し、または同一構造にすることができる。
【００８７】
（第１７実施例）
図１８に本考案の第１７実施例の構造模式図を示す。
図１８に示すように、その主な構成は、外部熱交換器（１０２１）と分離型エアコンの室外本体（２００７）によって構成される分離型エアコンの室外機（２００２）を設置する。及び内部熱交換器（２０３）、スロットル装置（２０２）、制御装置（２０１）とエアコンの送気ファン（２０４）によって構成される分離型エアコンの室内機（２００６）を設置する。
分離型エアコンの室外機（２００２）と分離型エアコンの室内機（２００６）との間に液冷媒配管（１０３）によって構成される冷媒の圧縮循環回路を備える。
また断熱装置（１１０）に送気ポンプ（１０４１）と排気量調整装置（１０６１）を分離設置する。
及び空調の標的空間（１２０）で排気量調整装置（１０６１）、送気ポンプ（１０４１）と外部熱交換器（１０２１）との間を経て、流体排出流路（１０６０）を設置する。
【００８８】
−−分離型エアコンの室外機（２００２）に分離型エアコンの室外本体（２００７）、外部熱交換器（１０２１）と液冷媒配管（１０３）を設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成する。
【００８９】
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動する。
【００９０】
断熱装置（１１０）に排気量調整装置（１０６１）、送気ポンプ（１０４１）と流体排出流路（１０６０）を分離設置する。
分離型エアコンの室外機（２００２）の外部熱交換器（１０２１）に液冷媒配管（１０３）を設け、冷媒を通過させ、かつ排出流体（１０５）と熱交換を行う。
【００９１】
−−液冷媒配管（１０３）：分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れる。
−−送気ポンプ（１０４１）：電気モータによって駆動される送気または排気扇ユニットまたはエアポンプによって構成される。空調の標的空間（１２０）を圧送し、排気量調整装置（１０６１）及び排出流路（１０６０）のポンプで送り出される相対的に温度差を持つ排出流体（１０５）を圧送し、外部熱交換器（１０２１）を経て、外部の温度差空間（１３０）へ排出する。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
液冷媒配管（１０３）と流体排出流路（１０６０）を個別に設置し、または同一構造にすることができる。
【００９２】
（第１８実施例）
図１９に本考案の第１８実施例の構造模式図を示す。
図１９に示すように、その主な構成は、外部熱交換器（１０２１）、排気ファンユニット（１０４）と分離型エアコンの室外本体（２００７）によって構成される分離型エアコンの室外機（２００２）を設置する。及び内部熱交換器（２０３）、スロットル装置（２０２）、制御装置（２０１）とエアコンの送気ファン（２０４）によって構成される分離型エアコンの室内機（２００６）を設置する。
分離型エアコンの室外機（２００２）と分離型エアコンの室内機（２００６）との間に液冷媒配管（１０３）によって構成される冷媒の圧縮循環回路を備える。また断熱装置（１１０）に送気ポンプ（１０４１）と排気量調整装置（１０６１）を分離設置する。
及び空調の標的空間（１２０）で排気量調整装置（１０６１）と送気ポンプ（１０４１）と外部熱交換器（１０２１）との間を経て、流体排出流路（１０６０）及び外部気流（１０５１）を設置する。
【００９３】
−−分離型エアコンの室外機（２００２）に分離型エアコンの室外本体（２００７）、外部熱交換器（１０２１）、液冷媒配管（１０３）と外部熱交換器の排気ファンユニット（１０４）を設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成する。
【００９４】
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動する。
【００９５】
断熱装置（１１０）に排気量調整装置（１０６１）、送気ポンプ（１０４１）と流体排出流路（１０６０）を分離設置する。
分離型エアコンの室外機（２００２）の外部熱交換器（１０２１）に液冷媒配管（１０３）を設け、冷媒を通過させ、かつ外部熱交換器（１０２１）にある外部の温度差空間（１３０）の外部気流（１０５１）及び排出流体（１０５）と熱交換を行う。
【００９６】
分離型エアコンの室外機（２００２）に設置される外部熱交換器の排気ファンユニット（１０４）は電気モータによって駆動される送気または排気扇ユニットまたはエアポンプによって構成される。流体排出流路（１０６０）と外部熱交換器（１０２１）との間の流れる間隔を通して、外部の温度差空間（１３０）の外部気流（１０５１）をポンプで入れ、及び空調の標的空間（１２０）の排気量調整装置（１０６１）及び流体排出流路（１０６０）から排出される相対的に温度差を持つ排出流体（１０５）を圧送し、２つの気流を一緒に外部熱交換器（１０２１）を経て熱交換を行った後、外部の温度差空間（１３０）へ排出する。
【００９７】
−−液冷媒配管（１０３）：分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れる。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
液冷媒配管（１０３）と流体排出流路（１０６０）を個別に設置し、または同一構造にすることができる。
【００９８】
（第１９実施例）
図２０に本考案の第１９実施例の構造模式図を示す。
図２０に示すように、その主な構成は、外部熱交換器（１０２１）と排気ファンユニット（１０４）によって構成される分離型エアコンの室外機（２００２）を設置する。及び分離型エアコンの室外本体（２００７）を独立して設置する。及び内部熱交換器（２０３）、スロットル装置（２０２）、制御装置（２０１）、エアコンの送気ファン（２０４）と排気量調整装置（１０６１）によって構成される分離型エアコンの室内機（２００６）を設置する。
分離型エアコンの室外機（２００２）、分離型エアコンの室外本体（２００７）、及び分離型エアコンの室内機（２００６）の間に液冷媒配管（１０３）によって構成される冷媒の圧縮循環回路を備える。
及び空調の標的空間（１２０）で排気量調整装置（１０６１）と外部熱交換器（１０２１）との間を経て、流体排出流路（１０６０）及び外部気流（１０５１）を設置する。
【００９９】
−−分離型エアコンの室外機（２００２）に外部熱交換器（１０２１）、液冷媒配管（１０３）と外部熱交換器の排気ファンユニット（１０４）を設置し、及び分離型エアコンの室外本体（２００７）を独立して設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成する。
【０１００】
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動する。分離型エアコンの室内機（２００６）にまた排気量調整装置（１０６１）と流体排出流路（１０６０）を設ける。
分離型エアコンの室外機（２００２）の外部熱交換器（１０２１）に液冷媒配管（１０３）を設け、冷媒を通過させ、かつ外部熱交換器（１０２１）にある外部の温度差空間（１３０）の外部気流（１０５１）及び排出流体（１０５）と熱交換を行う。
【０１０１】
分離型エアコンの室外機（２００２）に設置される外部熱交換器の排気ファンユニット（１０４）は電気モータによって駆動される送気または排気扇ユニットまたはエアポンプによって構成される。流体排出流路（１０６０）と外部熱交換器（１０２１）との間の流れる間隔を通して、外部の温度差空間（１３０）の外部気流（１０５１）をポンプで入れ、及び空調の標的空間（１２０）の排気量調整装置（１０６１）及び流体排出流路（１０６０）から排出される相対的に温度差を持つ排出流体（１０５）を圧送し、２つの気流を一緒に外部熱交換器（１０２１）を経て熱交換を行った後、外部の温度差空間（１３０）へ排出する。
【０１０２】
−−液冷媒配管（１０３）：独立して設置される分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れる。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
液冷媒配管（１０３）と流体排出流路（１０６０）を個別に設置し、または同一構造にすることができる。
【０１０３】
（第２０実施例）
図２１に本考案の第２０実施例の構造模式図を示す。
図２１に示すように、その主な構成は、外部熱交換器（１０２１）によって構成される分離型エアコンの室外機（２００２）を設置する。及び分離型エアコンの室外本体（２００７）を独立して設置する。及び内部熱交換器（２０３）、スロットル装置（２０２）、制御装置（２０１）、エアコンの送気ファン（２０４）、送気ポンプ（１０４１）と排気量調整装置（１０６１）によって構成される分離型エアコンの室内機（２００６）を設置する。
分離型エアコンの室外機（２００２）、分離型エアコンの室外本体（２００７）、及び分離型エアコンの室内機（２００６）の間に液冷媒配管（１０３）によって構成される冷媒の圧縮循環回路を備える。
また空調の標的空間（１２０）で排気量調整装置（１０６１）、送気ポンプ（１０４１）と外部熱交換器（１０２１）との間を経て、流体排出流路（１０６０）を設置する。
【０１０４】
−−分離型エアコンの室外機（２００２）に外部熱交換器（１０２１）と液冷媒配管（１０３）を設置し、及び分離型エアコンの室外本体（２００７）を独立して設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成する。
【０１０５】
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動する。分離型エアコンの室内機（２００６）にまた排気量調整装置（１０６１）、送気ポンプ（１０４１）と流体排出流路（１０６０）を設ける。
分離型エアコンの室外機（２００２）の外部熱交換器（１０２１）に液冷媒配管（１０３）を設け、冷媒を通過させ、かつ排出流体（１０５）と熱交換を行う。
【０１０６】
−−液冷媒配管（１０３）：独立して設置される分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れる。
−−送気ポンプ（１０４１）：電気モータによって駆動される送気または排気扇ユニットまたはエアポンプによって構成される。空調の標的空間（１２０）を圧送し、排気量調整装置（１０６１）及び排出流路（１０６０）のポンプで送り出される相対的に温度差を持つ排出流体（１０５）を圧送し、外部熱交換器（１０２１）を経て、外部の温度差空間（１３０）へ排出する。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
液冷媒配管（１０３）と流体排出流路（１０６０）を個別に設置し、または同一構造にすることができる。
【０１０７】
（第２１実施例）
図２２に本考案の第２１実施例の構造模式図を示す。
図２２に示すように、その主な構成は、外部熱交換器（１０２１）、排気ファンユニット（１０４）によって構成される分離型エアコンの室外機（２００２）を設置する。及び分離型エアコンの室外本体（２００７）を独立して設置し、及び内部熱交換器（２０３）、スロットル装置（２０２）、制御装置（２０１）とエアコンの送気ファン（２０４）によって構成される分離型エアコンの室内機（２００６）を設置する。
分離型エアコンの室外機（２００２）、分離型エアコンの室外本体（２００７）、及び分離型エアコンの室内機（２００６）の間に液冷媒配管（１０３）によって構成される冷媒の圧縮循環回路を備える。
また断熱装置（１１０）に排気量調整装置（１０６１）を分離設置する。
及び空調の標的空間（１２０）で排気量調整装置（１０６１）と外部熱交換器（１０２１）との間を経て、流体排出流路（１０６０）及び外部気流（１０５１）を設置する。
【０１０８】
−−分離型エアコンの室外機（２００２）に外部熱交換器（１０２１）、液冷媒配管（１０３）と外部熱交換器の排気ファンユニット（１０４）を設置し、及び分離型エアコンの室外本体（２００７）を独立して設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成する。
【０１０９】
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動する。
【０１１０】
断熱装置（１１０）に排気量調整装置（１０６１）と流体排出流路（１０６０）を分離設置する。
分離型エアコンの室外機（２００２）の外部熱交換器（１０２１）に液冷媒配管（１０３）を設け、冷媒を通過させ、かつ外部熱交換器（１０２１）にある外部の温度差空間（１３０）の外部気流（１０５１）及び排出流体（１０５）と熱交換を行う。
【０１１１】
分離型エアコンの室外機（２００２）に設置される外部熱交換器の排気ファンユニット（１０４）は電気モータによって駆動される送気または排気扇ユニットまたはエアポンプによって構成される。流体排出流路（１０６０）と外部熱交換器（１０２１）との間の流れる間隔を通して、外部の温度差空間（１３０）の外部気流（１０５１）をポンプで入れ、及び空調の標的空間（１２０）の排気量調整装置（１０６１）及び流体排出流路（１０６０）から排出される相対的に温度差を持つ排出流体（１０５）を圧送し、２つの気流を一緒に外部熱交換器（１０２１）を経て熱交換を行った後、外部の温度差空間（１３０）へ排出する。
【０１１２】
−−液冷媒配管（１０３）：独立して設置される分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れる。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
液冷媒配管（１０３）と流体排出流路（１０６０）を個別に設置し、または同一構造にすることができる。
【０１１３】
（第２２実施例）
図２３に本考案の第２２実施例の構造模式図を示す。
図２３に示すように、その主な構成は、外部熱交換器（１０２１）によって構成される分離型エアコンの室外機（２００２）を設置する。及び分離型エアコンの室外本体（２００７）を独立して設置する。及び内部熱交換器（２０３）、スロットル装置（２０２）、制御装置（２０１）とエアコンの送気ファン（２０４）によって構成される分離型エアコンの室内機（２００６）を設置する。
分離型エアコンの室外機（２００２）、分離型エアコンの室外本体（２００７）、及び分離型エアコンの室内機（２００６）の間に液冷媒配管（１０３）によって構成される冷媒の圧縮循環回路を備える。
また断熱装置（１１０）に送気ポンプ（１０４１）と排気量調整装置（１０６１）を分離設置する。
及び空調の標的空間（１２０）で排気量調整装置（１０６１）、送気ポンプ（１０４１）と外部熱交換器（１０２１）との間を経て、流体排出流路（１０６０）を設置する。
【０１１４】
−−分離型エアコンの室外機（２００２）に外部熱交換器（１０２１）と液冷媒配管（１０３）を設置し、及び分離型エアコンの室外本体（２００７）を独立して設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成する。
【０１１５】
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動する。
【０１１６】
断熱装置（１１０）に排気量調整装置（１０６１）、送気ポンプ（１０４１）と流体排出流路（１０６０）を分離設置する。
分離型エアコンの室外機（２００２）の外部熱交換器（１０２１）に液冷媒配管（１０３）を設け、冷媒を通過させ、かつ排出流体（１０５）と熱交換を行う。
【０１１７】
−−液冷媒配管（１０３）：分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れる。
−−送気ポンプ（１０４１）：電気モータによって駆動される送気または排気扇ユニットまたはエアポンプによって構成される。空調の標的空間（１２０）を圧送し、排気量調整装置（１０６１）及び排出流路（１０６０）のポンプで送り出される相対的に温度差を持つ排出流体（１０５）を圧送し、２つの気流を一緒に外部熱交換器（１０２１）を経て、外部の温度差空間（１３０）へ排出する。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
液冷媒配管（１０３）と流体排出流路（１０６０）を個別に設置し、または同一構造にすることができる。
【０１１８】
（第２３実施例）
図２４に本考案の第２３実施例の構造模式図を示す。
図２４に示すように、その主な構成は、外部熱交換器（１０２１）、排気ファンユニット（１０４）によって構成される分離型エアコンの室外機（２００２）を設置する。及び分離型エアコンの室外本体（２００７）を独立して設置する。及び内部熱交換器（２０３）、スロットル装置（２０２）、制御装置（２０１）とエアコンの送気ファン（２０４）によって構成される分離型エアコンの室内機（２００６）を設置する。
分離型エアコンの室外機（２００２）、分離型エアコンの室外本体（２００７）、及び分離型エアコンの室内機（２００６）の間に液冷媒配管（１０３）によって構成される冷媒の圧縮循環回路を備える。
また断熱装置（１１０）に送気ポンプ（１０４１）と排気量調整装置（１０６１）を分離設置する。
及び空調の標的空間（１２０）を経て、排気量調整装置（１０６１）、送気ポンプ（１０４１）と外部熱交換器（１０２１）との間に流体排出流路（１０６０）及び外部気流（１０５１）を設置する。
【０１１９】
−−分離型エアコンの室外機（２００２）に外部熱交換器（１０２１）、液冷媒配管（１０３）と外部熱交換器の排気ファンユニット（１０４）を設置し、及び分離型エアコンの室外本体（２００７）を独立して設置し、その中の分離型エアコンの室外本体（２００７）は主に圧縮装置を備え、また液冷媒配管（１０３）を通して、外部熱交換器（１０２１）と空調の標的空間（１２０）に設置される分離型エアコンの室内機（２００６）の中にある内部熱交換器（２０３）とスロットル装置（２０２）へ通じることによって、圧縮循環回路を構成する。
【０１２０】
分離型エアコンの室内機（２００６）に内部熱交換器（２０３）、スロットル装置（２０２）、エアコンの送気ファン（２０４）と制御装置（２０１）を設置することによって、入力する電気エネルギーを制御し、及び空調装置を駆動する。
【０１２１】
断熱装置（１１０）に排気量調整装置（１０６１）、送気ポンプ（１０４１）と流体排出流路（１０６０）を分離設置する。
分離型エアコンの室外機（２００２）の外部熱交換器（１０２１）に液冷媒配管（１０３）を設け、冷媒を通過させ、かつ外部熱交換器（１０２１）にある外部の温度差空間（１３０）の外部気流（１０５１）及び排出流体（１０５）と熱交換を行う。
【０１２２】
分離型エアコンの室外機（２００２）に設置される外部熱交換器の排気ファンユニット（１０４）は電気モータによって駆動される送気または排気扇ユニットまたはエアポンプによって構成される。流体排出流路（１０６０）と外部熱交換器（１０２１）との間の流れる間隔を通して、外部の温度差空間（１３０）の外部気流（１０５１）をポンプで入れ、及び空調の標的空間（１２０）の排気量調整装置（１０６１）及び流体排出流路（１０６０）から排出される相対的に温度差を持つ排出流体（１０５）を圧送し、２つの気流を一緒に外部熱交換器（１０２１）を経て熱交換を行った後、外部の温度差空間（１３０）へ排出する。
【０１２３】
−−液冷媒配管（１０３）：独立して設置される分離型エアコンの室外本体（２００７）、外部熱交換器（１０２１）、分離型エアコンの室内機（２００６）のスロットル装置（２０２）と内部熱交換器（２０３）を循環管路として連結し、その管路の中に気相または液相の冷媒が流れる。
−−排気量調整装置（１０６１）：排出流体（１０５）の排出量を調整設定する流体ゲート、遮断ゲートまたはバルブの構造によって構成される。
−−流体排出流路（１０６０）：排出流体（１０５）を排出する流体通路である。
液冷媒配管（１０３）と流体排出流路（１０６０）を個別に設置し、または同一構造にすることができる。
【０１２４】
上述をまとめると、本実施例の排気温度差が外部熱交換器に対して均温である空調装置は、空調の標的空間を通して、例えば室内またはキャリアの内部で外部に対して気流を換気・排出するように圧送し、空調の標的外部、例えば室外またはキャリアの外部に設置される外部熱交換器を通過することによって、二者の温度差を通して、外部熱交換装置に対して均温を行う。冷房として稼動するとき、空調の標的空間、例えば室内から排出される相対的に低温である気流は、室外に設置される凝結機能を備える外部熱交換器に協力して降温を行う。空調装置を暖房機能として稼動するとき、その外部へ排出する相対的に高温である気流は、室外に設置される蒸発機能を備える外部熱交換器に協力して昇温を行う。
【符号の説明】
【０１２５】
１０００：一体型空調システムのアセンブリ
１０１  ：空調装置本体
１０２１：外部熱交換器
１０３  ：液冷媒配管
１０４  ：外部熱交換器の排気ファンユニット
１０４１：送気ポンプ
１０５  ：排出流体
１０５１：外部気流
１０６  ：流体排出流路
１０６０：流体排出流路
１０６１：排気量調整装置
１０７  ：水管
１０８  ：冷却塔排扇ユニット
１０９  ：出入水管
１１０  ：断熱装置
１１１  ：水ポンプ
１２０  ：空調の標的空間
１３０  ：外部の温度差空間
２００１：分離型エアコンの本体
２００２：分離型エアコンの室外機
２００３：動力ファン式冷却塔
２００４：自然通風式冷却塔
２００５：水冷式空調装置本体
２００６：分離型エアコンの室内機
２００７：分離型エアコンの室外本体
２０１  ：制御装置
２０２  ：スロットル装置
２０３  ：内部熱交換器
２０４  ：エアコンの送気ファン
【図１】
0003174919.tif 000003
【図２】
0003174919.tif 000004
【図３】
0003174919.tif 000005
【図４】
0003174919.tif 000006
【図５】
0003174919.tif 000007
【図６】
0003174919.tif 000008
【図７】
0003174919.tif 000009
【図８】
0003174919.tif 000010
【図９】
0003174919.tif 000011
【図１０】
0003174919.tif 000012
【図１１】
0003174919.tif 000013
【図１２】
0003174919.tif 000014
【図１３】
0003174919.tif 000015
【図１４】
0003174919.tif 000016
【図１５】
0003174919.tif 000017
【図１６】
0003174919.tif 000018
【図１７】
0003174919.tif 000019
【図１８】
0003174919.tif 000020
【図１９】
0003174919.tif 000021
【図２０】
0003174919.tif 000022
【図２１】
0003174919.tif 000023
【図２２】
0003174919.tif 000024
【図２３】
0003174919.tif 000025
【図２４】
0003174919.tif 000026